(57)【特許請求の範囲】
【請求項１】
ユーザ機器により、フィードバックされる必要のあるプリコーディングマトリックス指標（ＰＭＩ）およびチャネル品質情報（ＣＱＩ）、並びに、前記ＰＭＩおよび前記ＣＱＩのフィードバック表現方式を決定する段階であって、前記フィードバック表現方式は、前記ＰＭＩおよび前記ＣＱＩを前記ユーザ機器がフィードバックする場合に前記ＰＭＩおよび前記ＣＱＩを表すべく使用される方式を参照し、前記フィードバック表現方式は、少なくとも第１フィードバック表現方式または第２フィードバック表現方式を含む、決定する段階と、
前記ユーザ機器により、前記決定されたフィードバック表現方式で前記ＰＭＩおよび前記ＣＱＩをネットワークデバイスへと送信する段階と、
を有し、
前記第１フィードバック表現方式は、Ｔ個のＣＱＩ値を使用してＭ個のコードワードのＣＱＩを表すこと、および、１つのＰＭＩ値を使用して１つのＰＭＩを示すことを含み、ＴはＭより小さく、且つ１より大きいかまたは１に等しく、Ｍは２より大きいかまたは２に等しく、前記Ｔ個のＣＱＩ値のうちの少なくとも１つのＣＱＩ値は、少なくとも２つのコードワードのチャネル品質情報を表すことが可能であり、
前記第２フィードバック表現方式は、Ｍ個のＣＱＩ値を使用してＭ個のコードワードのＣＱＩを表すこと、および、１つのＰＭＩ値を使用して１つのＰＭＩを示すことを含み、前記Ｍ個のＣＱＩ値のうちの少なくとも１つのＣＱＩ値のビット数は３より小さく、少なくとも１つのＣＱＩ値のビット数は３より大きく、
前記ＰＭＩおよび前記ＣＱＩに対応する任意のダウンリンク物理リソースブロックＰＲＢペアにおいて、前記Ｍ個のコードワードのうちの任意のコードワードが、異なる複数のダウンリンクサブキャリアにおいて同じレイヤにマッピングされる、チャネル状態情報フィードバック方法。
【請求項２】
ユーザ機器により前記ＰＭＩおよび前記ＣＱＩのフィードバック表現方式を決定する前記段階は、
前記ユーザ機器により、前記ＰＭＩおよび前記ＣＱＩの前記フィードバック表現方式を、アンテナ構成情報に従って決定する段階、または、
前記ユーザ機器により、前記ＰＭＩおよび前記ＣＱＩの前記フィードバック表現方式を、前記ネットワークデバイスによって送信されたより上位のレイヤシグナリングに従って決定する段階であって、前記より上位のレイヤシグナリングは、前記ＰＭＩおよび前記ＣＱＩの前記フィードバック表現方式を含む、決定する段階、
を含む、請求項１に記載のチャネル状態情報フィードバック方法。
【請求項３】
前記アンテナ構成情報は構成されるアンテナの数を含み、前記ユーザ機器により前記ＰＭＩおよび前記ＣＱＩの前記フィードバック表現方式をアンテナ構成情報に従って決定する前記段階は、
構成されるアンテナの前記数が第１アンテナ数閾値より大きいかまたは等しい場合には、前記ＰＭＩおよび前記ＣＱＩの前記フィードバック表現方式が前記第１フィードバック表現方式または前記第２フィードバック表現方式であると決定する段階、
構成されるアンテナの前記数が、前記第１アンテナ数閾値より小さく、且つ、第２アンテナ数閾値より大きいかまたは等しい場合には、前記ＰＭＩおよび前記ＣＱＩの前記フィードバック表現方式が前記第２フィードバック表現方式であると決定する段階、または、
構成されるアンテナの前記数が前記第２アンテナ数閾値より小さい場合には、前記ＰＭＩおよび前記ＣＱＩの前記フィードバック表現方式が第３フィードバック表現方式であると決定する段階、
を含み、
前記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して前記ＰＭＩを表すことを含む、請求項２に記載のチャネル状態情報フィードバック方法。
【請求項４】
前記アンテナ構成情報はアンテナ構成パターンをさらに含み、前記アンテナ構成パターンは、水平アンテナ構成および垂直アンテナ構成を含み、
構成されるアンテナの前記数が第１アンテナ数閾値より大きいかまたは等しい場合に前記ＰＭＩおよび前記ＣＱＩの前記フィードバック表現方式が前記第１フィードバック表現方式または前記第２フィードバック表現方式であると決定する前記段階は、
構成されるアンテナの前記数が前記第１アンテナ数閾値より大きいかまたは等しく、構成されるアンテナの前記数のうち、水平に構成されるアンテナの数が垂直に構成されるアンテナの数より大きいと決定される場合には、前記ＰＭＩおよび前記ＣＱＩの前記フィードバック表現方式が前記第１フィードバック表現方式であると決定する段階、または、
構成されるアンテナの前記数が前記第１アンテナ数閾値より大きいかまたは等しく、構成されるアンテナの前記数のうち、水平に構成されるアンテナの数が垂直に構成されるアンテナの数より小さいと決定される場合には、前記ＰＭＩおよび前記ＣＱＩの前記フィードバック表現方式が前記第２フィードバック表現方式であると決定する段階、または、
構成されるアンテナの前記数が前記第１アンテナ数閾値より大きいかまたは等しく、構成されるアンテナの前記数のうち、水平に構成されるアンテナの数が垂直に構成されるアンテナの数に等しいと決定される場合には、前記ＰＭＩおよび前記ＣＱＩの前記フィードバック表現方式が前記第１フィードバック表現方式または前記第２フィードバック表現方式であると決定する段階、
を含む、請求項３に記載のチャネル状態情報フィードバック方法。
【請求項５】
前記第１アンテナ数閾値は３２であり、前記第２アンテナ数閾値は１６である、請求項３または請求項４に記載のチャネル状態情報フィードバック方法。
【請求項６】
Ｍが２に等しい場合、前記第１フィードバック表現方式は、１つのＰＵＣＣＨの４ビットを使用して第１のコードワードのＣＱＩおよび第２のコードワードのＣＱＩを表すこと、および、１つのＰＵＣＣＨの４または７ビットを使用して前記ＰＭＩを表すことを含む、請求項１から請求項５のいずれか１項に記載のチャネル状態情報フィードバック方法。
【請求項７】
Ｍが２に等しい場合、前記第２フィードバック表現方式は、１つのＰＵＣＣＨの４ビットを使用して第１のコードワードのＣＱＩを表すこと、１つのＰＵＣＣＨの３ビットより少ないビットを使用して第２のコードワードのＣＱＩを表すこと、および、１つのＰＵＣＣＨの４ビットを使用して前記ＰＭＩを表すことを含む、請求項１から請求項５のいずれか１項に記載のチャネル状態情報フィードバック方法。
【請求項８】
フィードバックされる必要のあるプリコーディングマトリックス指標ＰＭＩおよびチャネル品質情報ＣＱＩ、並びに、前記ＰＭＩおよび前記ＣＱＩのフィードバック表現方式を決定する決定モジュールであって、前記フィードバック表現方式は、前記ＰＭＩおよび前記ＣＱＩをユーザ機器がフィードバックする場合に前記ＰＭＩおよび前記ＣＱＩを表すべく使用される方式を参照し、前記フィードバック表現方式は、少なくとも第１フィードバック表現方式または第２フィードバック表現方式を含む、決定モジュールと、
前記決定されたフィードバック表現方式で前記ＰＭＩおよび前記ＣＱＩをネットワークデバイスへと送信する送信モジュールと、
を備え、
前記第１フィードバック表現方式は、Ｔ個のＣＱＩ値を使用してＭ個のコードワードのＣＱＩを表すこと、および、１つのＰＭＩ値を使用して１つのＰＭＩを示すことを含み、ＴはＭより小さく、且つ１より大きいかまたは１に等しく、Ｍは２より大きいかまたは２に等しく、前記Ｔ個のＣＱＩ値のうちの少なくとも１つのＣＱＩ値は、少なくとも２つのコードワードのチャネル品質情報を表すことが可能であり、
前記第２フィードバック表現方式は、Ｍ個のＣＱＩ値を使用してＭ個のコードワードのＣＱＩを表すこと、および、１つのＰＭＩ値を使用して１つのＰＭＩを示すことを含み、前記Ｍ個のＣＱＩ値のうちの少なくとも１つのＣＱＩ値のビット数は３より小さく、少なくとも１つのＣＱＩ値のビット数は３より大きく、
前記ＰＭＩおよび前記ＣＱＩに対応する任意のダウンリンク物理リソースブロックＰＲＢペアにおいて、前記Ｍ個のコードワードのうちの任意のコードワードが、異なる複数のダウンリンクサブキャリアにおいて同じレイヤにマッピングされる、チャネル状態情報フィードバック装置。
【請求項９】
前記決定モジュールが、前記ＰＭＩおよび前記ＣＱＩの前記フィードバック表現方式を、アンテナ構成情報に従って決定する、または、
前記装置が、前記ネットワークデバイスによって送信されたより上位のレイヤシグナリングを受信する受信モジュールをさらに備え、前記決定モジュールが、前記ＰＭＩおよび前記ＣＱＩの前記フィードバック表現方式を、前記受信モジュールによって受信され且つ前記ネットワークデバイスによって送信されたより上位のレイヤシグナリングに従って決定し、前記より上位のレイヤシグナリングは、前記ＰＭＩおよび前記ＣＱＩの前記フィードバック表現方式を含む、請求項８に記載のチャネル状態情報フィードバック装置。
【請求項１０】
前記アンテナ構成情報は構成されるアンテナの数を含み、
前記決定モジュールは、
構成されるアンテナの前記数が第１アンテナ数閾値より大きいかまたは等しい場合には、前記ＰＭＩおよび前記ＣＱＩの前記フィードバック表現方式が前記第１フィードバック表現方式または前記第２フィードバック表現方式であると決定し、
構成されるアンテナの前記数が、前記第１アンテナ数閾値より小さく、且つ、第２アンテナ数閾値より大きいかまたは等しい場合には、前記ＰＭＩおよび前記ＣＱＩの前記フィードバック表現方式が前記第２フィードバック表現方式であると決定し、または、
構成されるアンテナの前記数が前記第２アンテナ数閾値より小さい場合には、前記ＰＭＩおよび前記ＣＱＩの前記フィードバック表現方式が第３フィードバック表現方式であると決定し、
前記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して前記ＰＭＩを表すことを含む、請求項９に記載のチャネル状態情報フィードバック装置。
【請求項１１】
前記アンテナ構成情報はアンテナ構成パターンをさらに含み、前記アンテナ構成パターンは、水平アンテナ構成および垂直アンテナ構成を含み、
前記決定モジュールは、
構成されるアンテナの前記数が前記第１アンテナ数閾値より大きいかまたは等しく、構成されるアンテナの前記数のうち、水平に構成されるアンテナの数が垂直に構成されるアンテナの数より大きいと決定される場合には、前記ＰＭＩおよび前記ＣＱＩの前記フィードバック表現方式が前記第１フィードバック表現方式であると決定し、または、
構成されるアンテナの前記数が前記第１アンテナ数閾値より大きいかまたは等しく、構成されるアンテナの前記数のうち、水平に構成されるアンテナの数が垂直に構成されるアンテナの数より小さいと決定される場合には、前記ＰＭＩおよび前記ＣＱＩの前記フィードバック表現方式が前記第２フィードバック表現方式であると決定し、または、
構成されるアンテナの前記数が前記第１アンテナ数閾値より大きいかまたは等しく、構成されるアンテナの前記数のうち、水平に構成されるアンテナの数が垂直に構成されるアンテナの数に等しいと決定される場合には、前記ＰＭＩおよび前記ＣＱＩの前記フィードバック表現方式が前記第１フィードバック表現方式または前記第２フィードバック表現方式であると決定する、請求項１０に記載のチャネル状態情報フィードバック装置。
【請求項１２】
前記第１アンテナ数閾値は３２であり、前記第２アンテナ数閾値は１６である、請求項１０または請求項１１に記載のチャネル状態情報フィードバック装置。
【請求項１３】
Ｍが２に等しい場合、前記第１フィードバック表現方式は、１つのＰＵＣＣＨの４ビットを使用して第１のコードワードのＣＱＩおよび第２のコードワードのＣＱＩを表すこと、および、１つのＰＵＣＣＨの４または７ビットを使用して前記ＰＭＩを表すことを含む、請求項８から請求項１２のいずれか１項に記載のチャネル状態情報フィードバック装置。
【請求項１４】
Ｍが２に等しい場合、前記第２フィードバック表現方式は、１つのＰＵＣＣＨの４ビットを使用して第１のコードワードのＣＱＩを表すこと、１つのＰＵＣＣＨの３ビットより少ないビットを使用して第２のコードワードのＣＱＩを表すこと、および、１つのＰＵＣＣＨの４ビットを使用して前記ＰＭＩを表すことを含む、請求項８から請求項１２のいずれか１項に記載のチャネル状態情報フィードバック装置。
【請求項１５】
プロセッサおよび送信機を備えるユーザ機器であって、
前記プロセッサは、通信バスを用いて前記送信機に接続され、
前記プロセッサは、フィードバックされる必要のあるプリコーディングマトリックス指標（ＰＭＩ）およびチャネル品質情報（ＣＱＩ）、並びに、前記ＰＭＩおよび前記ＣＱＩのフィードバック表現方式を決定し、前記フィードバック表現方式は、前記ＰＭＩおよび前記ＣＱＩを前記ユーザ機器がフィードバックする場合に前記ＰＭＩおよび前記ＣＱＩを表すべく使用される方式を参照し、前記フィードバック表現方式は、少なくとも第１フィードバック表現方式または第２フィードバック表現方式を含み、
前記送信機は、前記プロセッサによって決定された前記フィードバック表現方式で前記ＰＭＩおよび前記ＣＱＩをネットワークデバイスへと送信し、
前記第１フィードバック表現方式は、Ｔ個のＣＱＩ値を使用してＭ個のコードワードのＣＱＩを表すこと、および、１つのＰＭＩ値を使用して１つのＰＭＩを示すことを含み、ＴはＭより小さく、且つ１より大きいかまたは１に等しく、Ｍは２より大きいかまたは２に等しく、前記Ｔ個のＣＱＩ値のうちの少なくとも１つのＣＱＩ値は、少なくとも２つのコードワードのチャネル品質情報を表すことが可能であり、
前記第２フィードバック表現方式は、Ｍ個のＣＱＩ値を使用してＭ個のコードワードのＣＱＩを表すこと、および、１つのＰＭＩ値を使用して１つのＰＭＩを示すことを含み、前記Ｍ個のＣＱＩ値のうちの少なくとも１つのＣＱＩ値のビット数は３より小さく、少なくとも１つのＣＱＩ値のビット数は３より大きく、
前記ＰＭＩおよび前記ＣＱＩに対応する任意のダウンリンク物理リソースブロックＰＲＢペアにおいて、前記Ｍ個のコードワードのうちの任意のコードワードが、異なる複数のダウンリンクサブキャリアにおいて同じレイヤにマッピングされる、ユーザ機器。
【請求項１６】
前記プロセッサが、前記ＰＭＩおよび前記ＣＱＩの前記フィードバック表現方式を、アンテナ構成情報に従って決定する、または、
前記ユーザ機器が、前記通信バスを用いて前記プロセッサに接続された受信機をさらに備え、
前記受信機が、前記ネットワークデバイスによって送信されたより上位のレイヤシグナリングを受信し、前記より上位のレイヤシグナリングは、前記ＰＭＩおよび前記ＣＱＩの前記フィードバック表現方式を含み、
前記プロセッサが、前記ＰＭＩおよび前記ＣＱＩの前記フィードバック表現方式を、前記受信機によって受信され且つ前記ネットワークデバイスによって送信された前記より上位のレイヤシグナリングに従ってさらに決定する、請求項１５に記載のユーザ機器。
【請求項１７】
前記アンテナ構成情報は構成されるアンテナの数を含み、
前記プロセッサは、
構成されるアンテナの前記数が第１アンテナ数閾値より大きいかまたは等しい場合には、前記ＰＭＩおよび前記ＣＱＩの前記フィードバック表現方式が前記第１フィードバック表現方式または前記第２フィードバック表現方式であると決定し、
構成されるアンテナの前記数が、前記第１アンテナ数閾値より小さく、且つ、第２アンテナ数閾値より大きいかまたは等しい場合には、前記ＰＭＩおよび前記ＣＱＩの前記フィードバック表現方式が前記第２フィードバック表現方式であると決定し、または、
構成されるアンテナの前記数が前記第２アンテナ数閾値より小さい場合には、前記ＰＭＩおよび前記ＣＱＩの前記フィードバック表現方式が第３フィードバック表現方式であると決定し、
前記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して前記ＰＭＩを表すことを含む、請求項１６に記載のユーザ機器。
【請求項１８】
前記アンテナ構成情報はアンテナ構成パターンをさらに含み、前記アンテナ構成パターンは、水平アンテナ構成および垂直アンテナ構成を含み、
前記プロセッサは、
構成されるアンテナの前記数が前記第１アンテナ数閾値より大きいかまたは等しく、構成されるアンテナの前記数のうち、水平に構成されるアンテナの数が垂直に構成されるアンテナの数より大きいと決定される場合には、前記ＰＭＩおよび前記ＣＱＩの前記フィードバック表現方式が前記第１フィードバック表現方式であると決定し、または、
構成されるアンテナの前記数が前記第１アンテナ数閾値より大きいかまたは等しく、構成されるアンテナの前記数のうち、水平に構成されるアンテナの数が垂直に構成されるアンテナの数より小さいと決定される場合には、前記ＰＭＩおよび前記ＣＱＩの前記フィードバック表現方式が前記第２フィードバック表現方式であると決定し、または、
構成されるアンテナの前記数が前記第１アンテナ数閾値より大きいかまたは等しく、構成されるアンテナの前記数のうち、水平に構成されるアンテナの数が垂直に構成されるアンテナの数に等しいと決定される場合には、前記ＰＭＩおよび前記ＣＱＩの前記フィードバック表現方式が前記第１フィードバック表現方式または前記第２フィードバック表現方式であると決定する、請求項１７に記載のユーザ機器。
【請求項１９】
前記第１アンテナ数閾値は３２であり、前記第２アンテナ数閾値は１６である、請求項１７または請求項１８に記載のユーザ機器。
【請求項２０】
Ｍが２に等しい場合、前記第１フィードバック表現方式は、１つのＰＵＣＣＨの４ビットを使用して第１のコードワードのＣＱＩおよび第２のコードワードのＣＱＩを表すこと、および、１つのＰＵＣＣＨの４または７ビットを使用して前記ＰＭＩを表すことを含む、請求項１５から請求項１９のいずれか１項に記載のユーザ機器。
【請求項２１】
Ｍが２に等しい場合、前記第２フィードバック表現方式は、１つのＰＵＣＣＨの４ビットを使用して第１のコードワードのＣＱＩを表すこと、１つのＰＵＣＣＨの３ビットより少ないビットを使用して第２のコードワードのＣＱＩを表すこと、および、１つのＰＵＣＣＨの４ビットを使用して前記ＰＭＩを表すことを含む、請求項１５から請求項１９のいずれか１項に記載のユーザ機器。
【請求項２２】
ネットワークデバイスにより、アンテナ構成情報をユーザ機器へと送信する段階であって、前記アンテナ構成情報は、フィードバックされる必要のあるプリコーディングマトリックス指標ＰＭＩおよびチャネル品質情報ＣＱＩ、並びに、前記ＰＭＩおよび前記ＣＱＩのフィードバック表現方式を、前記アンテナ構成情報に含まれる構成されるアンテナの数に従って決定し、前記決定されたフィードバック表現方式で前記ＰＭＩおよび前記ＣＱＩを前記ネットワークデバイスへと送信すべく、前記ユーザ機器により使用される、送信する段階、または、
前記ネットワークデバイスにより、前記ＰＭＩおよび前記ＣＱＩの前記フィードバック表現方式を、前記アンテナ構成情報に含まれる構成されるアンテナの前記数に従って決定する段階、および、前記ＰＭＩおよび前記ＣＱＩの前記フィードバック表現方式を前記ユーザ機器へと送信する段階、および、
前記ネットワークデバイスにより、前記ＰＭＩおよび前記ＣＱＩの前記フィードバック表現方式で前記ユーザ機器によってフィードバックされた前記ＰＭＩおよび前記ＣＱＩを受信する段階、
を有し、
前記フィードバック表現方式は、前記ＰＭＩおよび前記ＣＱＩを前記ユーザ機器がフィードバックする場合に前記ＰＭＩおよび前記ＣＱＩを表すべく使用される方式を参照し、前記フィードバック表現方式は、少なくとも第１フィードバック表現方式または第２フィードバック表現方式を含み、
前記第１フィードバック表現方式は、Ｔ個のＣＱＩ値を使用してＭ個のコードワードのＣＱＩを表すこと、および、１つのＰＭＩ値を使用して１つのＰＭＩを示すことを含み、ＴはＭより小さく、且つ１より大きいかまたは１に等しく、Ｍは２より大きいかまたは２に等しく、前記Ｔ個のＣＱＩ値のうちの少なくとも１つのＣＱＩ値は、少なくとも２つのコードワードのチャネル品質情報を表すことが可能であり、
前記第２フィードバック表現方式は、Ｍ個のＣＱＩ値を使用してＭ個のコードワードのＣＱＩを表すこと、および、１つのＰＭＩ値を使用して１つのＰＭＩを示すことを含み、前記Ｍ個のＣＱＩ値のうちの少なくとも１つのＣＱＩ値のビット数は３より小さく、少なくとも１つのＣＱＩ値のビット数は３より大きく、
前記ＰＭＩおよび前記ＣＱＩに対応する任意のダウンリンク物理リソースブロックＰＲＢペアにおいて、前記Ｍ個のコードワードのうちの任意のコードワードが、異なる複数のダウンリンクサブキャリアにおいて同じレイヤにマッピングされる、チャネル状態情報フィードバック方法。
【請求項２３】
前記ネットワークデバイスにより前記ＰＭＩおよび前記ＣＱＩの前記フィードバック表現方式を前記アンテナ構成情報に含まれる構成されるアンテナの前記数に従って決定する前記段階は、
構成されるアンテナの前記数が第１アンテナ数閾値より大きいかまたは等しい場合には、前記ＰＭＩおよび前記ＣＱＩの前記フィードバック表現方式が前記第１フィードバック表現方式または前記第２フィードバック表現方式であると決定する段階、
構成されるアンテナの前記数が、前記第１アンテナ数閾値より小さく、且つ、第２アンテナ数閾値より大きいかまたは等しい場合には、前記ＰＭＩおよび前記ＣＱＩの前記フィードバック表現方式が前記第２フィードバック表現方式であると決定する段階、または、
構成されるアンテナの前記数が前記第２アンテナ数閾値より小さい場合には、前記ＰＭＩおよび前記ＣＱＩの前記フィードバック表現方式が第３フィードバック表現方式であると決定する段階、
を含み、
前記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して前記ＰＭＩを表すことを含む、請求項２２に記載のチャネル状態情報フィードバック方法。
【請求項２４】
前記アンテナ構成情報はアンテナ構成パターンをさらに含み、前記アンテナ構成パターンは、水平アンテナ構成および垂直アンテナ構成を含み、
構成されるアンテナの前記数が第１アンテナ数閾値より大きいかまたは等しい場合に前記ＰＭＩおよび前記ＣＱＩの前記フィードバック表現方式が前記第１フィードバック表現方式または前記第２フィードバック表現方式であると決定する前記段階は、
構成されるアンテナの前記数が前記第１アンテナ数閾値より大きいかまたは等しく、構成されるアンテナの前記数のうち、水平に構成されるアンテナの数が垂直に構成されるアンテナの数より大きいと決定される場合には、前記ＰＭＩおよび前記ＣＱＩの前記フィードバック表現方式が前記第１フィードバック表現方式であると決定する段階、または、
構成されるアンテナの前記数が前記第１アンテナ数閾値より大きいかまたは等しく、構成されるアンテナの前記数のうち、水平に構成されるアンテナの数が垂直に構成されるアンテナの数より小さいと決定される場合には、前記ＰＭＩおよび前記ＣＱＩの前記フィードバック表現方式が前記第２フィードバック表現方式であると決定する段階、または、
構成されるアンテナの前記数が前記第１アンテナ数閾値より大きいかまたは等しく、構成されるアンテナの前記数のうち、水平に構成されるアンテナの数が垂直に構成されるアンテナの数に等しいと決定される場合には、前記ＰＭＩおよび前記ＣＱＩの前記フィードバック表現方式が前記第１フィードバック表現方式または前記第２フィードバック表現方式であると決定する段階、
を含む、請求項２３に記載のチャネル状態情報フィードバック方法。
【請求項２５】
前記第１アンテナ数閾値は３２であり、前記第２アンテナ数閾値は１６である、請求項２３または請求項２４に記載のチャネル状態情報フィードバック方法。
【請求項２６】
前記ネットワークデバイスにより前記ＰＭＩおよび前記ＣＱＩの前記フィードバック表現方式を前記ユーザ機器へと送信する前記段階は、
前記ネットワークデバイスにより、前記ＰＭＩおよび前記ＣＱＩの前記フィードバック表現方式を、より上位のレイヤシグナリングを使用することによって前記ユーザ機器へと送信する段階を含む、請求項２２に記載のチャネル状態情報フィードバック方法。
【請求項２７】
チャネル状態情報フィードバック装置であって、
アンテナ構成情報をユーザ機器へと送信する送信モジュールであって、前記アンテナ構成情報は、フィードバックされる必要のあるプリコーディングマトリックス指標ＰＭＩおよびチャネル品質情報ＣＱＩ、並びに、前記ＰＭＩおよび前記ＣＱＩのフィードバック表現方式を、前記アンテナ構成情報に含まれる構成されるアンテナの数に従って決定し、前記決定されたフィードバック表現方式で前記ＰＭＩおよび前記ＣＱＩをネットワークデバイスへと送信すべく、前記ユーザ機器により使用される、送信モジュール、または、
前記装置が、前記ＰＭＩおよび前記ＣＱＩの前記フィードバック表現方式を、前記アンテナ構成情報に含まれる構成されるアンテナの前記数に従って決定する決定モジュールをさらに備え、前記送信モジュールが、前記ＰＭＩおよび前記ＣＱＩの前記フィードバック表現方式を前記ユーザ機器へとさらに送信する構成、および、
前記ＰＭＩおよび前記ＣＱＩの前記フィードバック表現方式で前記ユーザ機器によってフィードバックされた前記ＰＭＩおよび前記ＣＱＩを受信する受信モジュール、
を備え、
前記フィードバック表現方式は、前記ＰＭＩおよび前記ＣＱＩを前記ユーザ機器がフィードバックする場合に前記ＰＭＩおよび前記ＣＱＩを表すべく使用される方式を参照し、前記フィードバック表現方式は、少なくとも第１フィードバック表現方式または第２フィードバック表現方式を含み、
前記第１フィードバック表現方式は、Ｔ個のＣＱＩ値を使用してＭ個のコードワードのＣＱＩを表すこと、および、１つのＰＭＩ値を使用して１つのＰＭＩを示すことを含み、ＴはＭより小さく、且つ１より大きいかまたは１に等しく、Ｍは２より大きいかまたは２に等しく、前記Ｔ個のＣＱＩ値のうちの少なくとも１つのＣＱＩ値は、少なくとも２つのコードワードのチャネル品質情報を表すことが可能であり、
前記第２フィードバック表現方式は、Ｍ個のＣＱＩ値を使用してＭ個のコードワードのＣＱＩを表すこと、および、１つのＰＭＩ値を使用して１つのＰＭＩを示すことを含み、前記Ｍ個のＣＱＩ値のうちの少なくとも１つのＣＱＩ値のビット数は３より小さく、少なくとも１つのＣＱＩ値のビット数は３より大きく、
前記ＰＭＩおよび前記ＣＱＩに対応する任意のダウンリンク物理リソースブロックＰＲＢペアにおいて、前記Ｍ個のコードワードのうちの任意のコードワードが、異なる複数のダウンリンクサブキャリアにおいて同じレイヤにマッピングされる、チャネル状態情報フィードバック装置。
【請求項２８】
前記決定モジュールは、
構成されるアンテナの前記数が第１アンテナ数閾値より大きいかまたは等しい場合には、前記ＰＭＩおよび前記ＣＱＩの前記フィードバック表現方式が前記第１フィードバック表現方式または前記第２フィードバック表現方式であると決定し、
構成されるアンテナの前記数が、前記第１アンテナ数閾値より小さく、且つ、第２アンテナ数閾値より大きいかまたは等しい場合には、前記ＰＭＩおよび前記ＣＱＩの前記フィードバック表現方式が前記第２フィードバック表現方式であると決定し、または、
構成されるアンテナの前記数が前記第２アンテナ数閾値より小さい場合には、前記ＰＭＩおよび前記ＣＱＩの前記フィードバック表現方式が第３フィードバック表現方式であると決定し、
前記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して前記ＰＭＩを表すことを含む、請求項２７に記載のチャネル状態情報フィードバック装置。
【請求項２９】
前記アンテナ構成情報はアンテナ構成パターンをさらに含み、前記アンテナ構成パターンは、水平アンテナ構成および垂直アンテナ構成を含み、
前記決定モジュールは、
構成されるアンテナの前記数が前記第１アンテナ数閾値より大きいかまたは等しく、構成されるアンテナの前記数のうち、水平に構成されるアンテナの数が垂直に構成されるアンテナの数より大きいと決定される場合には、前記ＰＭＩおよび前記ＣＱＩの前記フィードバック表現方式が前記第１フィードバック表現方式であると決定し、または、
構成されるアンテナの前記数が前記第１アンテナ数閾値より大きいかまたは等しく、構成されるアンテナの前記数のうち、水平に構成されるアンテナの数が垂直に構成されるアンテナの数より小さいと決定される場合には、前記ＰＭＩおよび前記ＣＱＩの前記フィードバック表現方式が前記第２フィードバック表現方式であると決定し、または、
構成されるアンテナの前記数が前記第１アンテナ数閾値より大きいかまたは等しく、構成されるアンテナの前記数のうち、水平に構成されるアンテナの数が垂直に構成されるアンテナの数に等しいと決定される場合には、前記ＰＭＩおよび前記ＣＱＩの前記フィードバック表現方式が前記第１フィードバック表現方式または前記第２フィードバック表現方式であると決定する、請求項２８に記載のチャネル状態情報フィードバック装置。
【請求項３０】
前記第１アンテナ数閾値は３２であり、前記第２アンテナ数閾値は１６である、請求項２８または請求項２９に記載のチャネル状態情報フィードバック装置。
【請求項３１】
前記送信モジュールは、前記ＰＭＩおよび前記ＣＱＩの前記フィードバック表現方式を、より上位のレイヤシグナリングを使用することによって前記ユーザ機器へと送信する、請求項２７に記載のチャネル状態情報フィードバック装置。
【請求項３２】
基地局を備えるネットワークデバイスであって、
前記ネットワークデバイスは、
アンテナ構成情報をユーザ機器へと送信する送信機であって、前記アンテナ構成情報は、フィードバックされる必要のあるプリコーディングマトリックス指標（ＰＭＩ）およびチャネル品質情報（ＣＱＩ）、並びに、前記ＰＭＩおよび前記ＣＱＩのフィードバック表現方式を、前記アンテナ構成情報に含まれる構成されるアンテナの数に従って決定し、前記決定されたフィードバック表現方式で前記ＰＭＩおよび前記ＣＱＩを前記ネットワークデバイスへと送信すべく、前記ユーザ機器により使用される、送信機、または、
前記ネットワークデバイスが、通信バスを用いて前記送信機に接続され、ＰＭＩおよびＣＱＩのフィードバック表現方式を、前記アンテナ構成情報に含まれる構成されるアンテナの数に従って決定するプロセッサをさらに備え、前記送信機が、前記プロセッサによって決定された、前記ＰＭＩおよび前記ＣＱＩの前記フィードバック表現方式を前記ユーザ機器へとさらに送信する構成、および、
前記通信バスを用いて前記プロセッサに接続され、前記ＰＭＩおよび前記ＣＱＩの前記フィードバック表現方式で前記ユーザ機器によってフィードバックされた前記ＰＭＩおよび前記ＣＱＩを受信する受信機、
を備え、
前記フィードバック表現方式は、前記ＰＭＩおよび前記ＣＱＩを前記ユーザ機器がフィードバックする場合に前記ＰＭＩおよび前記ＣＱＩを表すべく使用される方式を参照し、前記フィードバック表現方式は、少なくとも第１フィードバック表現方式または第２フィードバック表現方式を含み、
前記第１フィードバック表現方式は、Ｔ個のＣＱＩ値を使用してＭ個のコードワードのＣＱＩを表すこと、および、１つのＰＭＩ値を使用して１つのＰＭＩを示すことを含み、ＴはＭより小さく、且つ１より大きいかまたは１に等しく、Ｍは２より大きいかまたは２に等しく、前記Ｔ個のＣＱＩ値のうちの少なくとも１つのＣＱＩ値は、少なくとも２つのコードワードのチャネル品質情報を表すことが可能であり、
前記第２フィードバック表現方式は、Ｍ個のＣＱＩ値を使用してＭ個のコードワードのＣＱＩを表すこと、および、１つのＰＭＩ値を使用して１つのＰＭＩを示すことを含み、前記Ｍ個のＣＱＩ値のうちの少なくとも１つのＣＱＩ値のビット数は３より小さく、少なくとも１つのＣＱＩ値のビット数は３より大きく、
前記ＰＭＩおよび前記ＣＱＩに対応する任意のダウンリンク物理リソースブロックＰＲＢペアにおいて、前記Ｍ個のコードワードのうちの任意のコードワードが、異なる複数のダウンリンクサブキャリアにおいて同じレイヤにマッピングされる、ネットワークデバイス。
【請求項３３】
前記プロセッサは、
構成されるアンテナの前記数が第１アンテナ数閾値より大きいかまたは等しい場合には、前記ＰＭＩおよび前記ＣＱＩの前記フィードバック表現方式が前記第１フィードバック表現方式または前記第２フィードバック表現方式であると決定し、
構成されるアンテナの前記数が、前記第１アンテナ数閾値より小さく、且つ、第２アンテナ数閾値より大きいかまたは等しい場合には、前記ＰＭＩおよび前記ＣＱＩの前記フィードバック表現方式が前記第２フィードバック表現方式であると決定し、または、
構成されるアンテナの前記数が前記第２アンテナ数閾値より小さい場合には、前記ＰＭＩおよび前記ＣＱＩの前記フィードバック表現方式が第３フィードバック表現方式であると決定し、
前記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して前記ＰＭＩを表すことを含む、請求項３２に記載のネットワークデバイス。
【請求項３４】
前記アンテナ構成情報はアンテナ構成パターンをさらに含み、前記アンテナ構成パターンは、水平アンテナ構成および垂直アンテナ構成を含み、
前記プロセッサは、
構成されるアンテナの前記数が前記第１アンテナ数閾値より大きいかまたは等しく、構成されるアンテナの前記数のうち、水平に構成されるアンテナの数が垂直に構成されるアンテナの数より大きいと決定される場合には、前記ＰＭＩおよび前記ＣＱＩの前記フィードバック表現方式が前記第１フィードバック表現方式であると決定し、または、
構成されるアンテナの前記数が前記第１アンテナ数閾値より大きいかまたは等しく、構成されるアンテナの前記数のうち、水平に構成されるアンテナの数が垂直に構成されるアンテナの数より小さいと決定される場合には、前記ＰＭＩおよび前記ＣＱＩの前記フィードバック表現方式が前記第２フィードバック表現方式であると決定し、または、
構成されるアンテナの前記数が前記第１アンテナ数閾値より大きいかまたは等しく、構成されるアンテナの前記数のうち、水平に構成されるアンテナの数が垂直に構成されるアンテナの数に等しいと決定される場合には、前記ＰＭＩおよび前記ＣＱＩの前記フィードバック表現方式が前記第１フィードバック表現方式または前記第２フィードバック表現方式であると決定する、請求項３３に記載のネットワークデバイス。
【請求項３５】
前記第１アンテナ数閾値は３２であり、前記第２アンテナ数閾値は１６である、請求項３３または請求項３４に記載のネットワークデバイス。
【請求項３６】
前記送信機は、前記ＰＭＩおよび前記ＣＱＩの前記フィードバック表現方式を含むより上位のレイヤシグナリングを、アンテナを使用することによって前記ユーザ機器へと送信する、請求項３２に記載のネットワークデバイス。
【発明の詳細な説明】
【技術分野】
【０００１】
本発明の複数の実施形態は、複数の通信技術の分野に関し、特に、チャネル状態情報フィードバック方法および装置に関する。
【背景技術】
【０００２】
第３世代パートナーシップ・プロジェクト（３ＧＰＰ）のロングタームエボリューション（ＬＴＥ）ＬＴＥ／ＬＴＥ−Ａｄｖａｎｃｅｄ（ＬＴＥ−Ａ）システムにおいては、直交周波数分割多元接続（ＯＦＤＭＡ）がダウンリンク多元接続モードとして使用される。従って、システムのダウンリンクリソースは、時間の観点から複数のＯＦＤＭシンボルに分割され、周波数の観点から複数のサブキャリアに分割される。各ＯＦＤＭシンボルは、サイクリックプレフィックス（ＣＰ）を有する。ＣＰには複数種類ある。すなわち、ノーマルＣＰ（normal CP）および拡張ＣＰ（extended CP）である。ダウンリンクサブフレームにおいて基地局がユーザ機器（ＵＥ）をスケジュールする場合、すなわち、ダウンリンクサブフレームにおいて基地局がＵＥへとダウンリンクデータを送信する必要がある場合、各ＵＥに対して割り当てられた物理的リソースの最小ユニットが物理リソースブロック（ＰＲＢ）である。１つのＰＲＢは、周波数領域において１２のサブキャリアを含み、時間領域において１つのサブフレーム期間の半分（すなわち、１つのタイムスロット）である。すなわち、７つのＯＦＤＭシンボル（normal CPが使用される場合）または６つのＯＦＤＭシンボル（extended CPが使用される場合）を含む。１つの物理リソースブロックペアは、周波数領域において１２のサブキャリアを含み、時間領域において１つのサブフレーム期間（すなわち２つのタイムスロット）である。
【０００３】
現在、ＬＴＥ  Ｒ８における開ループ型の複数入力複数出力（ＭＩＭＯ）においては、最大で４つの送信アンテナがサポートされている。ランク−２、３、または４の送信がサポートされている。開ループ型のＭＩＭＯにおいては、プリコーディングマトリックスのプリコーディングマトリックス指標（ＰＭＩ）がフィードバックされない。そして、ランク（rank）が２より大きいかまたは２に等しい場合、２つのチャネル符号化コードワード（codeword）が使用されて、基地局がデータを送信する際に送信を実行する。４つの送信アンテナは、１つの例として使用されている。ＵＥへデータを送信する場合に基地局は、ＵＥに対してスケジュールされたＰＲＢペアにおいて、ルールに従い、インデックス番号が１２から１５までの４つのプリコーディングマトリックスを順番に固定して用いることによってプリコーディングを実行する。フィードバックの間、１つのコードワードのみのチャネル品質情報（ＣＱＩ）がフィードバックされる。開ループモードにおいて、１つのＣＱＩがフィードバックされてよいという理由は、開ループ型のＭＩＭＯモードにおいて、２つのコードワードがほぼ同じチャネルを通るように、２つのコードワードに対して、隣接する複数のサブキャリア上にレイヤシフトが存在することに等しく、従って、チャンネル品質もまたほぼ同じであるということである。従って、１つのコードワードのＣＱＩが、２つのコードワードのＣＱＩを表現するべく使用されてよい。例えば、ランク−２送信（レイヤ＝２）では、サブキャリアｎおよびｎ＋１上で、インデックス１２のプリコーディングマトリックスを用いることによりプリコーディングが実行される。サブキャリアｎ上では、コードワード１が第１レイヤにマッピングされ、コードワード２が第２レイヤにマッピングされる。しかしながら、サブキャリアｎ＋１上では、コードワード１が第２レイヤにマッピングされ、コードワード２が第１レイヤにマッピングされる。隣接する複数のサブキャリアに対する複数のチャネルは、基本的に同じである。従って、２つのサブキャリア上で同じ１つのチャネルを２つのコードワードが通り、チャンネル品質もまた同じであるとみなされてよい。従って、２つのコードワードのＣＱＩが、１つのコードワードのＣＱＩを用いて表されてよい。
【０００４】
現在、ＬＴＥリリース８／９／１０／１１においては、ダウンリンク送信において１つ、２つ、４つ、または８つのアンテナを用いて送信することがサポートされている。閉ループ型ＭＩＭＯモードにおいて、ユーザ機器（ＵＥ）がフィードバックする必要のあるチャネル状態情報（ＣＳＩ）は、ランク指標（rank indicator、ＲＩ）、ＰＭＩ、ＣＱＩ等を含む。ここでＲＩおよびＰＭＩは、ダウンリンクデータ送信を実行すべく基地局が使用することをＵＥが予期するレイヤ数およびプリコーディングマトリックスをそれぞれ示す。ＲＩが２より大きいかまたは２に等しい場合、基地局がデータを送信する際に２つのチャネル符号化コードワード（codeword）が使用されて送信を実行する。この場合、ＵＥによるＣＳＩフィードバックに対する表現方式は、１つのＰＭＩ値、および２つのコードワードのＣＱＩを含む必要がある。閉ループ型ＭＩＭＯモードにおいては、２つのコードワードが、同じ１つのサブキャリア上にて異なる複数のレイヤにそれぞれマッピングされ、全てのサブキャリアにおいて、１つのレイヤへのどちらかのコードワードのマッピングの関係が同じである。すなわち、レイヤシフトが存在しない。この２つのコードワードは、異なる複数のチャネルを通る。従って、２つのコードワードのＣＱＩは互いに独立であり、１つのコードワードのＣＱＩが２つのコードワードのＣＱＩを表すために使用されることはできない。従って、ＵＥは、２つのコードワードのＣＱＩを別々にフィードバックする必要がある。
【０００５】
しかしながら、既存の閉ループ型ＭＩＭＯモードにおいて、もしも構成されるアンテナの数が８を超えない場合には、ＵＥによるＣＳＩフィードバックに対する表現方式が適用可能であり、ダウンリンク送信アンテナの数が増大する場合、例えば、ダウンリンク送信アンテナの数が１６、３２、または６４である場合、従来技術においては、対応するＣＳＩフィードバック解が提供されない。
【発明の概要】
【０００６】
本発明は、構成されるアンテナの数が増大する状況に対して効果的に適用され得る、閉ループ型ＭＩＭＯ用のチャネル状態情報フィードバック方法および装置を提供する。
【０００７】
第１の態様に従うと、以下を含むチャネル状態情報フィードバック方法が提供される。
ユーザ機器により、フィードバックされる必要のあるプリコーディングマトリックス指標ＰＭＩおよびチャネル品質情報ＣＱＩ、並びに、上記ＰＭＩおよび上記ＣＱＩのフィードバック表現方式を決定する段階。ここで、上記フィードバック表現方式は、上記ＰＭＩおよび上記ＣＱＩを上記ユーザ機器がフィードバックする場合に上記ＰＭＩおよび上記ＣＱＩを表すべく使用される方式を参照し、上記フィードバック表現方式は、少なくとも第１フィードバック表現方式または第２フィードバック表現方式を含む段階。および、
上記ユーザ機器により、上記決定されたフィードバック表現方式で、上記ＰＭＩおよび上記ＣＱＩをネットワークデバイスへと送信する段階。ここで、
上記第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、上記Ｔ個のＣＱＩ値のうちの少なくとも１つのＣＱＩ値は、少なくとも２つのコードワードのチャネル品質情報を表すことが可能である。また、
上記第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、上記Ｍ個のＣＱＩ値のうちの少なくとも１つのＣＱＩ値のビット数は３より小さく、少なくとも１つのＣＱＩ値のビット数は３より大きい。ここで、
上記ＰＭＩおよび上記ＣＱＩに対応する任意のダウンリンク物理リソースブロックＰＲＢペアにおいて、上記Ｍ個のコードワードのうちの任意のコードワードが、異なる複数のダウンリンクサブキャリアにおいて同じ１つのレイヤにマッピングされる。
【０００８】
第１の態様に基づいた第１の実施可能形態において、ユーザ機器により上記ＰＭＩおよび上記ＣＱＩのフィードバック表現方式を決定する上記段階は、以下を含む。
上記ユーザ機器により、上記ＰＭＩおよび上記ＣＱＩの上記フィードバック表現方式を、アンテナ構成情報に従って決定する段階。または、
上記ユーザ機器により、上記ＰＭＩおよび上記ＣＱＩの上記フィードバック表現方式を、上記ネットワークデバイスによって送信されたより上位のレイヤシグナリングに従って決定する段階。ここで、上記より上位のレイヤシグナリングは、上記ＰＭＩおよび上記ＣＱＩの上記フィードバック表現方式を含む。
【０００９】
第１の態様の第１の実施可能形態に基づいた第２の実施可能形態においては、上記アンテナ構成情報は構成されるアンテナの数を含み、上記ユーザ機器により上記ＰＭＩおよび上記ＣＱＩの上記フィードバック表現方式をアンテナ構成情報に従って決定する上記段階は、以下を含む。
構成されるアンテナの上記数が第１アンテナ数閾値より大きいかまたは等しい場合には、上記ＰＭＩおよび上記ＣＱＩの上記フィードバック表現方式が上記第１フィードバック表現方式または上記第２フィードバック表現方式であると決定する段階。
構成されるアンテナの上記数が、上記第１アンテナ数閾値より小さく、且つ、第２アンテナ数閾値より大きいかまたは等しい場合には、上記ＰＭＩおよび上記ＣＱＩの上記フィードバック表現方式が上記第２フィードバック表現方式であると決定する段階。または、
構成されるアンテナの上記数が上記第２アンテナ数閾値より小さい場合には、上記ＰＭＩおよび上記ＣＱＩの上記フィードバック表現方式が第３フィードバック表現方式であると決定する段階。ここで、
上記第３フィードバック表現方式は、１つの物理アップリンク制御チャネル（ＰＵＣＣＨ）の４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して上記ＰＭＩを表すことを含む。
【００１０】
第１の態様の第２の実施可能形態に基づいた第３の実施可能形態においては、上記アンテナ構成情報はアンテナ構成パターンをさらに含み、上記アンテナ構成パターンは、水平アンテナ構成および垂直アンテナ構成を含む。また、
構成されるアンテナの上記数が第１アンテナ数閾値より大きいかまたは等しい場合に上記ＰＭＩおよび上記ＣＱＩの上記フィードバック表現方式が上記第１フィードバック表現方式または上記第２フィードバック表現方式であると決定する上記段階は、以下を含む。
構成されるアンテナの上記数が上記第１アンテナ数閾値より大きいかまたは等しく、構成されるアンテナの上記数のうち、水平に構成されるアンテナの数が垂直に構成されるアンテナの数より大きいと決定される場合には、上記ＰＭＩおよび上記ＣＱＩの上記フィードバック表現方式が上記第１フィードバック表現方式であると決定する段階。または、
構成されるアンテナの上記数が上記第１アンテナ数閾値より大きいかまたは等しく、構成されるアンテナの上記数のうち、水平に構成されるアンテナの数が垂直に構成されるアンテナの数より小さいと決定される場合には、上記ＰＭＩおよび上記ＣＱＩの上記フィードバック表現方式が上記第２フィードバック表現方式であると決定する段階。または、
構成されるアンテナの上記数が上記第１アンテナ数閾値より大きいかまたは等しく、構成されるアンテナの上記数のうち、水平に構成されるアンテナの数が垂直に構成されるアンテナの数に等しいと決定される場合には、上記ＰＭＩおよび上記ＣＱＩの上記フィードバック表現方式が上記第１フィードバック表現方式または上記第２フィードバック表現方式であると決定する段階。
【００１１】
第１の態様の第２または第３の実施可能形態に基づいた第４の実施可能形態においては、上記第１アンテナ数閾値は３２であり、上記第２アンテナ数閾値は１６である。
【００１２】
第１の態様または第１の態様の第１から第４の実施可能形態のいずれか１つに基づいた第５の実施可能形態においては、Ｍが２に等しい場合、上記第１フィードバック表現方式は、１つのＰＵＣＣＨの４ビットを使用して第１のコードワードのＣＱＩおよび第２のコードワードのＣＱＩを表すこと、および、１つのＰＵＣＣＨの４または７ビットを使用して上記ＰＭＩを表すことを含む。
【００１３】
第１の態様または第１の態様の第１から第４の実施可能形態のいずれか１つに基づいた第６の実施可能形態においては、Ｍが２に等しい場合、上記第２フィードバック表現方式は、１つのＰＵＣＣＨの４ビットを使用して第１のコードワードのＣＱＩを表すこと、１つのＰＵＣＣＨの３ビットより少ないビットを使用して第２のコードワードのＣＱＩを表すこと、および、１つのＰＵＣＣＨの４ビットを使用して上記ＰＭＩを表すことを含む。
【００１４】
第２の態様に従うと、以下を含むチャネル状態情報フィードバック装置が提供される。
フィードバックされる必要のあるプリコーディングマトリックス指標ＰＭＩおよびチャネル品質情報ＣＱＩ、並びに、上記ＰＭＩおよび上記ＣＱＩのフィードバック表現方式を決定するように構成された決定モジュール。ここで、上記フィードバック表現方式は、上記ＰＭＩおよび上記ＣＱＩを上記ユーザ機器がフィードバックする場合に上記ＰＭＩおよび上記ＣＱＩを表すべく使用される方式を参照し、上記フィードバック表現方式は、少なくとも第１フィードバック表現方式または第２フィードバック表現方式を含む。および、
上記決定されたフィードバック表現方式で、上記ＰＭＩおよび上記ＣＱＩをネットワークデバイスへと送信するように構成された送信モジュール。ここで、
上記第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、上記Ｔ個のＣＱＩ値のうちの少なくとも１つのＣＱＩ値は、少なくとも２つのコードワードのチャネル品質情報を表すことが可能である。また、
上記第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、上記Ｍ個のＣＱＩ値のうちの少なくとも１つのＣＱＩ値のビット数は３より小さく、少なくとも１つのＣＱＩ値のビット数は３より大きい。ここで、
上記ＰＭＩおよび上記ＣＱＩに対応する任意のダウンリンク物理リソースブロックＰＲＢペアにおいて、上記Ｍ個のコードワードのうちの任意のコードワードが、異なる複数のダウンリンクサブキャリアにおいて同じ１つのレイヤにマッピングされる。
【００１５】
第２の態様に基づいた第１の実施可能形態においては、上記決定モジュールは、以下のように具体的に構成される。
上記ＰＭＩおよび上記ＣＱＩの上記フィードバック表現方式を、アンテナ構成情報に従って決定する。または、
上記装置は、
上記ネットワークデバイスによって送信された、より上位のレイヤシグナリングを受信するように構成された受信モジュールをさらに含む。ここで、上記より上位のレイヤシグナリングは、上記ＰＭＩおよび上記ＣＱＩの上記フィードバック表現方式を含む。ここで、
上記決定モジュールは、上記ＰＭＩおよび上記ＣＱＩの上記フィードバック表現方式を、上記受信モジュールによって受信され且つ上記ネットワークデバイスによって送信されたより上位のレイヤシグナリングに従って決定するように、さらに具体的に構成される。
【００１６】
第２の態様の第１の実施可能形態に基づいた第２の実施可能形態においては、上記アンテナ構成情報は構成されるアンテナの数を含み、上記決定モジュールは、以下のように具体的に構成される。
構成されるアンテナの上記数が第１アンテナ数閾値より大きいかまたは等しい場合には、上記ＰＭＩおよび上記ＣＱＩの上記フィードバック表現方式が上記第１フィードバック表現方式または上記第２フィードバック表現方式であると決定する。
構成されるアンテナの上記数が、上記第１アンテナ数閾値より小さく、且つ、第２アンテナ数閾値より大きいかまたは等しい場合には、上記ＰＭＩおよび上記ＣＱＩの上記フィードバック表現方式が上記第２フィードバック表現方式であると決定する。または、
構成されるアンテナの上記数が上記第２アンテナ数閾値より小さい場合には、上記ＰＭＩおよび上記ＣＱＩの上記フィードバック表現方式が第３フィードバック表現方式であると決定する。ここで、
上記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して上記ＰＭＩを表すことを含む。
【００１７】
第２の態様の第２の実施可能形態に基づいた第３の実施可能形態においては、上記アンテナ構成情報はアンテナ構成パターンをさらに含み、上記アンテナ構成パターンは、水平アンテナ構成および垂直アンテナ構成を含む。また、
上記決定モジュールは、以下のように具体的に構成される。
構成されるアンテナの上記数が上記第１アンテナ数閾値より大きいかまたは等しく、構成されるアンテナの上記数のうち、水平に構成されるアンテナの数が垂直に構成されるアンテナの数より大きいと決定される場合には、上記ＰＭＩおよび上記ＣＱＩの上記フィードバック表現方式が上記第１フィードバック表現方式であると決定する。または、
構成されるアンテナの上記数が上記第１アンテナ数閾値より大きいかまたは等しく、構成されるアンテナの上記数のうち、水平に構成されるアンテナの数が垂直に構成されるアンテナの数より小さいと決定される場合には、上記ＰＭＩおよび上記ＣＱＩの上記フィードバック表現方式が上記第２フィードバック表現方式であると決定する。または、
構成されるアンテナの上記数が上記第１アンテナ数閾値より大きいかまたは等しく、構成されるアンテナの上記数のうち、水平に構成されるアンテナの数が垂直に構成されるアンテナの数に等しいと決定される場合には、上記ＰＭＩおよび上記ＣＱＩの上記フィードバック表現方式が上記第１フィードバック表現方式または上記第２フィードバック表現方式であると決定する。
【００１８】
第２の態様の第２または第３の実施可能形態に基づいた第４の実施可能形態においては、上記第１アンテナ数閾値は３２であり、上記第２アンテナ数閾値は１６である。
【００１９】
第２の態様または第２の態様の第１から第４の実施可能形態のいずれか１つに基づいた第５の実施可能形態においては、Ｍが２に等しい場合、上記第１フィードバック表現方式は、１つのＰＵＣＣＨの４ビットを使用して第１のコードワードのＣＱＩおよび第２のコードワードのＣＱＩを表すこと、および、１つのＰＵＣＣＨの４または７ビットを使用して上記ＰＭＩを表すことを含む。
【００２０】
第２の態様または第２の態様の第１から第４の実施可能形態のいずれか１つに基づいた第６の実施可能形態においては、Ｍが２に等しい場合、上記第２フィードバック表現方式は、１つのＰＵＣＣＨの４ビットを使用して第１のコードワードのＣＱＩを表すこと、１つのＰＵＣＣＨの３ビットより少ないビットを使用して第２のコードワードのＣＱＩを表すこと、および、１つのＰＵＣＣＨの４ビットを使用して上記ＰＭＩを表すことを含む。
【００２１】
第３の態様に従うと、プロセッサおよび送信機を含むユーザ機器が提供される。上記プロセッサは、通信バスを用いて上記送信機に接続される。
上記プロセッサは、フィードバックされる必要のあるプリコーディングマトリックス指標ＰＭＩおよびチャネル品質情報ＣＱＩ、並びに、上記ＰＭＩおよび上記ＣＱＩのフィードバック表現方式を決定するように構成される。ここで、上記フィードバック表現方式は、上記ＰＭＩおよび上記ＣＱＩを上記ユーザ機器がフィードバックする場合に上記ＰＭＩおよび上記ＣＱＩを表すべく使用される方式を参照し、上記フィードバック表現方式は、少なくとも第１フィードバック表現方式または第２フィードバック表現方式を含む。また、
上記送信機は、上記プロセッサによって決定された上記フィードバック表現方式で、上記ＰＭＩおよび上記ＣＱＩをネットワークデバイスへと送信するように構成される。ここで、
上記第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、上記Ｔ個のＣＱＩ値のうちの少なくとも１つのＣＱＩ値は、少なくとも２つのコードワードのチャネル品質情報を表すことが可能である。また、
上記第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、上記Ｍ個のＣＱＩ値のうちの少なくとも１つのＣＱＩ値のビット数は３より小さく、少なくとも１つのＣＱＩ値のビット数は３より大きい。ここで、
上記ＰＭＩおよび上記ＣＱＩに対応する任意のダウンリンク物理リソースブロックＰＲＢペアにおいて、上記Ｍ個のコードワードのうちの任意のコードワードが、異なる複数のダウンリンクサブキャリアにおいて同じ１つのレイヤにマッピングされる。
【００２２】
第３の態様に基づいた第１の実施可能形態においては、上記プロセッサは、以下のように具体的に構成される。
上記ＰＭＩおよび上記ＣＱＩの上記フィードバック表現方式を、アンテナ構成情報に従って決定する。または、
上記ユーザ機器は、
上記通信バスを用いて上記プロセッサに接続され、上記ネットワークデバイスによって送信されたより上位のレイヤシグナリングを受信するように構成された受信機をさらに含む。ここで、上記より上位のレイヤシグナリングは、上記ＰＭＩおよび上記ＣＱＩの上記フィードバック表現方式を含む。また、
上記プロセッサは、上記ＰＭＩおよび上記ＣＱＩの上記フィードバック表現方式を、上記受信機によって受信され且つ上記ネットワークデバイスによって送信された上記より上位のレイヤシグナリングに含まれる上記ＰＭＩおよび上記ＣＱＩの上記フィードバック表現方式に従って決定するように、さらに具体的に構成される。
【００２３】
第３の態様の第１の実施可能形態に基づいた第２の実施可能形態においては、上記アンテナ構成情報は構成されるアンテナの数を含み、上記プロセッサは、以下のように具体的に構成される。
構成されるアンテナの上記数が第１アンテナ数閾値より大きいかまたは等しい場合には、上記ＰＭＩおよび上記ＣＱＩの上記フィードバック表現方式が上記第１フィードバック表現方式または上記第２フィードバック表現方式であると決定する。
構成されるアンテナの上記数が、上記第１アンテナ数閾値より小さく、且つ、第２アンテナ数閾値より大きいかまたは等しい場合には、上記ＰＭＩおよび上記ＣＱＩの上記フィードバック表現方式が上記第２フィードバック表現方式であると決定する。または、
構成されるアンテナの上記数が上記第２アンテナ数閾値より小さい場合には、上記ＰＭＩおよび上記ＣＱＩの上記フィードバック表現方式が第３フィードバック表現方式であると決定する。ここで、上記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して上記ＰＭＩを表すことを含む。
【００２４】
第３の態様の第２の実施可能形態に基づいた第３の実施可能形態においては、上記アンテナ構成情報はアンテナ構成パターンをさらに含み、上記アンテナ構成パターンは、水平アンテナ構成および垂直アンテナ構成を含む。また、
上記プロセッサは、以下のように具体的に構成される。
構成されるアンテナの上記数が上記第１アンテナ数閾値より大きいかまたは等しく、構成されるアンテナの上記数のうち、水平に構成されるアンテナの数が垂直に構成されるアンテナの数より大きいと決定される場合には、上記ＰＭＩおよび上記ＣＱＩの上記フィードバック表現方式が上記第１フィードバック表現方式であると決定する。または、
構成されるアンテナの上記数が上記第１アンテナ数閾値より大きいかまたは等しく、構成されるアンテナの上記数のうち、水平に構成されるアンテナの数が垂直に構成されるアンテナの数より小さいと決定される場合には、上記ＰＭＩおよび上記ＣＱＩの上記フィードバック表現方式が上記第２フィードバック表現方式であると決定する。または、
構成されるアンテナの上記数が上記第１アンテナ数閾値より大きいかまたは等しく、構成されるアンテナの上記数のうち、水平に構成されるアンテナの数が垂直に構成されるアンテナの数に等しいと決定される場合には、上記ＰＭＩおよび上記ＣＱＩの上記フィードバック表現方式が上記第１フィードバック表現方式または上記第２フィードバック表現方式であると決定する。
【００２５】
第３の態様の第２または第３の実施可能形態に基づいた第４の実施可能形態においては、上記第１アンテナ数閾値は３２であり、上記第２アンテナ数閾値は１６である。
【００２６】
第３の態様または第３の態様の第１から第４の実施可能形態のいずれか１つに基づいた第５の実施可能形態においては、Ｍが２に等しい場合、上記第１フィードバック表現方式は、１つのＰＵＣＣＨの４ビットを使用して第１のコードワードのＣＱＩおよび第２のコードワードのＣＱＩを表すこと、および、１つのＰＵＣＣＨの４または７ビットを使用して上記ＰＭＩを表すことを含む。
【００２７】
第３の態様または第３の態様の第１から第４の実施可能形態のいずれか１つに基づいた第６の実施可能形態においては、Ｍが２に等しい場合、上記第２フィードバック表現方式は、１つのＰＵＣＣＨの４ビットを使用して第１のコードワードのＣＱＩを表すこと、１つのＰＵＣＣＨの３ビットより少ないビットを使用して第２のコードワードのＣＱＩを表すこと、および、１つのＰＵＣＣＨの４ビットを使用して上記ＰＭＩを表すことを含む。
【００２８】
第４の態様に従うと、以下を含むチャネル状態情報フィードバック方法が提供される。
ネットワークデバイスにより、アンテナ構成情報をユーザ機器へと送信する段階。ここで、上記アンテナ構成情報は、フィードバックされる必要のあるプリコーディングマトリックス指標ＰＭＩおよびチャネル品質情報ＣＱＩ、並びに、上記ＰＭＩおよび上記ＣＱＩのフィードバック表現方式を、上記アンテナ構成情報に含まれる構成されるアンテナの数に従って決定し、上記決定されたフィードバック表現方式で上記ＰＭＩおよび上記ＣＱＩを上記ネットワークデバイスへと送信すべく、上記ユーザ機器により使用される。または、
ネットワークデバイスにより、ＰＭＩおよびＣＱＩのフィードバック表現方式を、上記アンテナ構成情報に含まれる構成されるアンテナの数に従って決定する段階、および、上記ＰＭＩおよび上記ＣＱＩの上記フィードバック表現方式を上記ユーザ機器へと送信する段階。および、
上記ＰＭＩおよび上記ＣＱＩの上記フィードバック表現方式で上記ユーザ機器によりフィードバックされた上記ＰＭＩおよび上記ＣＱＩを、上記ネットワークデバイスにより受信する段階。ここで、
上記フィードバック表現方式は、上記ＰＭＩおよび上記ＣＱＩを上記ユーザ機器がフィードバックする場合に上記ＰＭＩおよび上記ＣＱＩを表すべく使用される方式を参照し、上記フィードバック表現方式は、少なくとも第１フィードバック表現方式または第２フィードバック表現方式を含む。ここで、
上記第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、上記Ｔ個のＣＱＩ値のうちの少なくとも１つのＣＱＩ値は、少なくとも２つのコードワードのチャネル品質情報を表すことが可能である。また、
上記第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、上記Ｍ個のＣＱＩ値のうちの少なくとも１つのＣＱＩ値のビット数は３より小さく、少なくとも１つのＣＱＩ値のビット数は３より大きい。ここで、
上記ＰＭＩおよび上記ＣＱＩに対応する任意のダウンリンク物理リソースブロックＰＲＢペアにおいて、上記Ｍ個のコードワードのうちの任意のコードワードが、異なる複数のダウンリンクサブキャリアにおいて同じ１つのレイヤにマッピングされる。
【００２９】
第４の態様に基づいた第１の実施可能形態においては、上記ネットワークデバイスにより上記ＰＭＩおよび上記ＣＱＩの上記フィードバック表現方式を上記アンテナ構成情報に含まれる構成されるアンテナの上記数に従って決定する上記段階は、以下を含む。
構成されるアンテナの上記数が第１アンテナ数閾値より大きいかまたは等しい場合には、上記ＰＭＩおよび上記ＣＱＩの上記フィードバック表現方式が上記第１フィードバック表現方式または上記第２フィードバック表現方式であると決定する段階。
構成されるアンテナの上記数が、上記第１アンテナ数閾値より小さく、且つ、第２アンテナ数閾値より大きいかまたは等しい場合には、上記ＰＭＩおよび上記ＣＱＩの上記フィードバック表現方式が上記第２フィードバック表現方式であると決定する段階。または、
構成されるアンテナの上記数が上記第２アンテナ数閾値より小さい場合には、上記ＰＭＩおよび上記ＣＱＩの上記フィードバック表現方式が第３フィードバック表現方式であると決定する段階。ここで、上記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して上記ＰＭＩを表すことを含む。
【００３０】
第４の態様の第１の実施可能形態に基づいた第２の実施可能形態においては、上記アンテナ構成情報はアンテナ構成パターンをさらに含み、上記アンテナ構成パターンは、水平アンテナ構成および垂直アンテナ構成を含む。また、
構成されるアンテナの上記数が第１アンテナ数閾値より大きいかまたは等しい場合に上記ＰＭＩおよび上記ＣＱＩの上記フィードバック表現方式が上記第１フィードバック表現方式または上記第２フィードバック表現方式であると決定する上記段階は、以下を含む。
構成されるアンテナの上記数が上記第１アンテナ数閾値より大きいかまたは等しく、構成されるアンテナの上記数のうち、水平に構成されるアンテナの数が垂直に構成されるアンテナの数より大きいと決定される場合には、上記ＰＭＩおよび上記ＣＱＩの上記フィードバック表現方式が上記第１フィードバック表現方式であると決定する段階。または、
構成されるアンテナの上記数が上記第１アンテナ数閾値より大きいかまたは等しく、構成されるアンテナの上記数のうち、水平に構成されるアンテナの数が垂直に構成されるアンテナの数より小さいと決定される場合には、上記ＰＭＩおよび上記ＣＱＩの上記フィードバック表現方式が上記第２フィードバック表現方式であると決定する段階。または、
構成されるアンテナの上記数が上記第１アンテナ数閾値より大きいかまたは等しく、構成されるアンテナの上記数のうち、水平に構成されるアンテナの数が垂直に構成されるアンテナの数に等しいと決定される場合には、上記ＰＭＩおよび上記ＣＱＩの上記フィードバック表現方式が上記第１フィードバック表現方式または上記第２フィードバック表現方式であると決定する段階。
【００３１】
第４の態様の第１または第２の実施可能形態に基づいた第３の実施可能形態においては、上記第１アンテナ数閾値は３２であり、上記第２アンテナ数閾値は１６である。
【００３２】
第４の態様に基づいた第４の実施可能形態においては、上記ネットワークデバイスにより上記ＰＭＩおよび上記ＣＱＩの上記フィードバック表現方式を上記ユーザ機器へと送信する上記段階は、以下を含む。
上記ネットワークデバイスにより、上記ＰＭＩおよび上記ＣＱＩの上記フィードバック表現方式を、より上位のレイヤシグナリングを使用することによって上記ユーザ機器へと送信する段階。
【００３３】
第５の態様に従うと、以下を含むチャネル状態情報フィードバック装置が提供される。
アンテナ構成情報をユーザ機器へと送信するよう構成される送信モジュール。ここで、上記アンテナ構成情報は、フィードバックされる必要のあるプリコーディングマトリックス指標ＰＭＩおよびチャネル品質情報ＣＱＩ、並びに、上記ＰＭＩおよび上記ＣＱＩのフィードバック表現方式を、上記アンテナ構成情報に含まれる構成されるアンテナの数に従って決定し、上記決定されたフィードバック表現方式で上記ＰＭＩおよび上記ＣＱＩを上記ネットワークデバイスへと送信すべく、上記ユーザ機器により使用される。または、
上記装置は、
ＰＭＩおよびＣＱＩのフィードバック表現方式を、上記アンテナ構成情報に含まれる構成されるアンテナの数に従って決定するよう構成される決定モジュールをさらに含み、上記送信モジュールは、上記ＰＭＩおよび上記ＣＱＩの上記フィードバック表現方式を上記ユーザ機器へと送信するようにさらに構成される。および、
上記ＰＭＩおよび上記ＣＱＩの上記フィードバック表現方式で上記ユーザ機器によりフィードバックされた上記ＰＭＩおよび上記ＣＱＩを受信するように構成される受信モジュール。ここで、
上記フィードバック表現方式は、上記ＰＭＩおよび上記ＣＱＩを上記ユーザ機器がフィードバックする場合に上記ＰＭＩおよび上記ＣＱＩを表すべく使用される方式を参照し、上記フィードバック表現方式は、少なくとも第１フィードバック表現方式または第２フィードバック表現方式を含む。ここで、
上記第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、上記Ｔ個のＣＱＩ値のうちの少なくとも１つのＣＱＩ値は、少なくとも２つのコードワードのチャネル品質情報を表すことが可能である。また、
上記第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、上記Ｍ個のＣＱＩ値のうちの少なくとも１つのＣＱＩ値のビット数は３より小さく、少なくとも１つのＣＱＩ値のビット数は３より大きい。ここで、
上記ＰＭＩおよび上記ＣＱＩに対応する任意のダウンリンク物理リソースブロックＰＲＢペアにおいて、上記Ｍ個のコードワードのうちの任意のコードワードが、異なる複数のダウンリンクサブキャリアにおいて同じ１つのレイヤにマッピングされる。
【００３４】
第５の態様に基づいた第１の実施可能形態においては、上記決定モジュールは、以下のように具体的に構成される。
構成されるアンテナの上記数が第１アンテナ数閾値より大きいかまたは等しい場合には、上記ＰＭＩおよび上記ＣＱＩの上記フィードバック表現方式が上記第１フィードバック表現方式または上記第２フィードバック表現方式であると決定する。
構成されるアンテナの上記数が、上記第１アンテナ数閾値より小さく、且つ、第２アンテナ数閾値より大きいかまたは等しい場合には、上記ＰＭＩおよび上記ＣＱＩの上記フィードバック表現方式が上記第２フィードバック表現方式であると決定する。または、
構成されるアンテナの上記数が上記第２アンテナ数閾値より小さい場合には、上記ＰＭＩおよび上記ＣＱＩの上記フィードバック表現方式が第３フィードバック表現方式であると決定する。ここで、上記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して上記ＰＭＩを表すことを含む。
【００３５】
第５の態様の第１の実施可能形態に基づいた第２の実施可能形態においては、上記アンテナ構成情報はアンテナ構成パターンをさらに含み、上記アンテナ構成パターンは、水平アンテナ構成および垂直アンテナ構成を含む。また、
上記決定モジュールは、以下のように具体的に構成される。
構成されるアンテナの上記数が上記第１アンテナ数閾値より大きいかまたは等しく、構成されるアンテナの上記数のうち、水平に構成されるアンテナの数が垂直に構成されるアンテナの数より大きいと決定される場合には、上記ＰＭＩおよび上記ＣＱＩの上記フィードバック表現方式が上記第１フィードバック表現方式であると決定する。または、
構成されるアンテナの上記数が上記第１アンテナ数閾値より大きいかまたは等しく、構成されるアンテナの上記数のうち、水平に構成されるアンテナの数が垂直に構成されるアンテナの数より小さいと決定される場合には、上記ＰＭＩおよび上記ＣＱＩの上記フィードバック表現方式が上記第２フィードバック表現方式であると決定する。または、
構成されるアンテナの上記数が上記第１アンテナ数閾値より大きいかまたは等しく、構成されるアンテナの上記数のうち、水平に構成されるアンテナの数が垂直に構成されるアンテナの数に等しいと決定される場合には、上記ＰＭＩおよび上記ＣＱＩの上記フィードバック表現方式が上記第１フィードバック表現方式または上記第２フィードバック表現方式であると決定する。
【００３６】
第５の態様の第１または第２の実施可能形態に基づいた第３の実施可能形態においては、上記第１アンテナ数閾値は３２であり、上記第２アンテナ数閾値は１６である。
【００３７】
第５の態様に基づいた第４の実施可能形態においては、上記送信モジュールは、上記ＰＭＩおよび上記ＣＱＩの上記フィードバック表現方式を、より上位のレイヤシグナリングを使用することによって上記ユーザ機器へと送信するように具体的に構成される。
【００３８】
第６の態様に従うと、基地局を含むネットワークデバイスが提供され、上記ネットワークデバイスは具体的に以下を含む。
アンテナ構成情報をユーザ機器へと送信するよう構成される送信機。ここで、上記アンテナ構成情報は、フィードバックされる必要のあるプリコーディングマトリックス指標ＰＭＩおよびチャネル品質情報ＣＱＩ、並びに、上記ＰＭＩおよび上記ＣＱＩのフィードバック表現方式を、上記アンテナ構成情報に含まれる構成されるアンテナの数に従って決定し、上記決定されたフィードバック表現方式で上記ＰＭＩおよび上記ＣＱＩを上記ネットワークデバイスへと送信すべく、上記ユーザ機器により使用される。または、
上記ネットワークデバイスが、
通信バスを用いて上記送信機に接続されたプロセッサであって、ＰＭＩおよびＣＱＩのフィードバック表現方式を、上記アンテナ構成情報に含まれる構成されるアンテナの数に従って決定するように構成されるプロセッサをさらに含み、上記送信機は、上記プロセッサによって決定された、上記ＰＭＩおよび上記ＣＱＩの上記フィードバック表現方式を上記ユーザ機器へと送信するようにさらに構成される。および、
上記通信バスを用いて上記プロセッサに接続された受信機であって、上記ＰＭＩおよび上記ＣＱＩの上記フィードバック表現方式で上記ユーザ機器によってフィードバックされた上記ＰＭＩおよび上記ＣＱＩを受信するように構成される受信機。ここで、
上記フィードバック表現方式は、上記ＰＭＩおよび上記ＣＱＩを上記ユーザ機器がフィードバックする場合に上記ＰＭＩおよび上記ＣＱＩを表すべく使用される方式を参照し、上記フィードバック表現方式は、少なくとも第１フィードバック表現方式または第２フィードバック表現方式を含む。ここで、
上記第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、上記Ｔ個のＣＱＩ値のうちの少なくとも１つのＣＱＩ値は、少なくとも２つのコードワードのチャネル品質情報を表すことが可能である。また、
上記第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、上記Ｍ個のＣＱＩ値のうちの少なくとも１つのＣＱＩ値のビット数は３より小さく、少なくとも１つのＣＱＩ値のビット数は３より大きい。ここで、
上記ＰＭＩおよび上記ＣＱＩに対応する任意のダウンリンク物理リソースブロックＰＲＢペアにおいて、上記Ｍ個のコードワードのうちの任意のコードワードが、異なる複数のダウンリンクサブキャリアにおいて同じ１つのレイヤにマッピングされる。
【００３９】
第６の態様に基づいた第１の実施可能形態において、上記プロセッサは以下のように具体的に構成される。
構成されるアンテナの上記数が第１アンテナ数閾値より大きいかまたは等しい場合には、上記ＰＭＩおよび上記ＣＱＩの上記フィードバック表現方式が上記第１フィードバック表現方式または上記第２フィードバック表現方式であると決定する。
構成されるアンテナの上記数が、上記第１アンテナ数閾値より小さく、且つ、第２アンテナ数閾値より大きいかまたは等しい場合には、上記ＰＭＩおよび上記ＣＱＩの上記フィードバック表現方式が上記第２フィードバック表現方式であると決定する。または、
構成されるアンテナの上記数が上記第２アンテナ数閾値より小さい場合には、上記ＰＭＩおよび上記ＣＱＩの上記フィードバック表現方式が第３フィードバック表現方式であると決定する。ここで、上記第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用して上記ＰＭＩを表すことを含む。
【００４０】
第６の態様の第１の実施可能形態に基づいた第２の実施可能形態においては、上記アンテナ構成情報はアンテナ構成パターンをさらに含み、上記アンテナ構成パターンは、水平アンテナ構成および垂直アンテナ構成を含む。また、
上記プロセッサは、以下のように具体的に構成される。
構成されるアンテナの上記数が上記第１アンテナ数閾値より大きいかまたは等しく、構成されるアンテナの上記数のうち、水平に構成されるアンテナの数が垂直に構成されるアンテナの数より大きいと決定される場合には、上記ＰＭＩおよび上記ＣＱＩの上記フィードバック表現方式が上記第１フィードバック表現方式であると決定する。または、
構成されるアンテナの上記数が上記第１アンテナ数閾値より大きいかまたは等しく、構成されるアンテナの上記数のうち、水平に構成されるアンテナの数が垂直に構成されるアンテナの数より小さいと決定される場合には、上記ＰＭＩおよび上記ＣＱＩの上記フィードバック表現方式が上記第２フィードバック表現方式であると決定する。または、
構成されるアンテナの上記数が上記第１アンテナ数閾値より大きいかまたは等しく、構成されるアンテナの上記数のうち、水平に構成されるアンテナの数が垂直に構成されるアンテナの数に等しいと決定される場合には、上記ＰＭＩおよび上記ＣＱＩの上記フィードバック表現方式が上記第１フィードバック表現方式または上記第２フィードバック表現方式であると決定する。
【００４１】
第６の態様の第１または第２の実施可能形態に基づいた第３の実施可能形態においては、上記第１アンテナ数閾値は３２であり、上記第２アンテナ数閾値は１６である。
【００４２】
第６の態様に基づいた第４の実施可能形態において上記送信機は、上記ＰＭＩおよび上記ＣＱＩの上記フィードバック表現方式を含むより上位のレイヤシグナリングを、アンテナを使用することによって上記ユーザ機器へと送信するように具体的に構成される。
【００４３】
本発明においては、ユーザ機器が、第１または第２フィードバック表現方式を含むＰＭＩおよびＣＱＩのフィードバック表現方式を決定し、上記決定された第１または第２フィードバック表現方式で、上記ＰＭＩおよび上記ＣＱＩをネットワークデバイスへと送信する。ここで、上記第１フィードバック表現方式は、Ｔ個のＣＱＩ値を使用してＭ個のコードワードのＣＱＩを表すこと、および、１つのＰＭＩ値を使用して１つのＰＭＩを示すことを含み、ＴはＭより小さい。また、少なくとも２つのコードワードのＣＱＩを表すことの可能な、少なくとも１つのＣＱＩ値が存在する。また、上記第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、１つのＰＵＣＣＨにおいて少なくとも１つのＣＱＩ値によって使用されるビットの数は３より小さい。また、１つのＰＵＣＣＨにおいて少なくとも１つのＣＱＩ値により使用されるビットの数は３より大きい。大規模なＭＩＭＯシステムの特徴（すなわち、構成されるアンテナの数が徐々に増大するに連れて、各レイヤまたは各コードワードのＣＱＩ関連性がより高くなる）に基づいて、本発明において決定されたフィードバック表現方式は、構成されるアンテナの数が増大する状況に対して効果的に適用されることができる。
【図面の簡単な説明】
【００４４】
本発明の複数の実施形態における複数の技術的解決法、または従来技術における複数の技術的解決法をより明確に記載すべく、複数の実施形態または従来技術を記載するために必要な複数の添付の図面を、以下に簡単に導入する。明らかに、以下の記載における複数の添付の図面は、本発明のいくつかの実施形態を示し、これら複数の添付の図面から、当業者は創造的な労力無しに、その他の複数の図面を依然として導出できるであろう。
【００４５】
【図１】従来技術で使用されているＣＳＩフィードバック表現方式の概略図である。
【００４６】
【図２】本発明の一実施形態に従ったチャネル状態情報フィードバック方法の概略フローチャートである。
【００４７】
【図３】本発明の一実施形態に従った、エミュレーションによって得られる、異なる複数の数の送信アンテナに対するチャネルマトリックス条件数の概略的比較図である。
【００４８】
【図３−１】本発明の一実施形態に従った、１つのコードワードから１つのレイヤへのマッピングの具体的な例である。
【００４９】
【図４】本発明の一実施形態において適用される第１フィードバック表現方式の概略図である。
【００５０】
【図５】本発明の一実施形態において適用されるチャネル状態情報フィードバック表現方式の概略図である。
【００５１】
【図６】本発明の一実施形態において適用される別のチャネル状態情報フィードバック表現方式の概略図である。
【００５２】
【図７】本発明の別の実施形態に従ったチャネル状態情報フィードバック装置の概略構造図である。
【００５３】
【図８】本発明の別の実施形態に従ったユーザ機器の概略構造図である。
【００５４】
【図９】本発明の別の実施形態に従ったチャネル状態情報フィードバック方法の概略フローチャートである。
【００５５】
【図１０】本発明の別の実施形態に従ったチャネル状態情報フィードバック装置の概略構造図である。
【００５６】
【図１１】本発明の別の実施形態に従ったネットワークデバイスの概略構造図である。
【発明を実施するための形態】
【００５７】
本発明の複数の実施形態の複数の目的、技術的解決法、および利点をより明確にすべく、以下において、本発明の複数の実施形態における複数の添付の図面を参照して、本発明の複数の実施形態における複数の技術的解決法を、明確に且つ完全に記載する。明らかに、記載される複数の実施形態は、本発明の複数の実施形態のうちのいくつかであって、全てではない。本発明の複数の実施形態に基づいて、創造的な労力無しに、当業者によって得られる全ての他の複数の実施形態は、本発明の保護範囲内に含まれるべきものである。
【００５８】
図１は、従来技術で使用されているＣＳＩフィードバック表現方式の概略図である。現在のＭＩＭＯシステムにおいては、ネットワークデバイス（例えば基地局）内で構成されるアンテナの数が２、４、または８であり、且つ、送信レイヤの数が２より大きいかまたは２に等しい（すなわち、ＲＩが２より大きいかまたは２に等しい）とすると、図１に示されるように、物理アップリンク制御チャネル（Physical Uplink Control Channel、ＰＵＣＣＨ）でＵＥがＣＳＩをフィードバックする場合、ＵＥは、１つのＰＵＣＣＨ中の４ビットを使用してＰＭＩを表し、１つのＰＵＣＣＨ中の４ビットを使用して第１のコードワードのＣＱＩを表し、１つのＰＵＣＣＨ中の３ビットを使用して第２のコードワードのＣＱＩを表す。すなわち、ＰＭＩおよびＣＱＩに対して使用される１つのＰＵＣＣＨ中のビットの数は合計１１である。
【００５９】
しかしながら、構成されるアンテナの数が増大した場合、例えば、ダウンリンク送信アンテナの数が１６、３２、または６４の場合、従来技術においては、対応するＣＳＩフィードバック解が提供されない。
【００６０】
本発明においては、構成されるアンテナの数が増大し、ＲＩが２より大きいかまたは２に等しい場合（コードワードの数が少なくとも２の場合）に対し、ＵＥがＣＳＩをフィードバックするための新たな表現方式が提供され、構成されるアンテナの数が増大するような状況に対して効果的に適用され得る。
【００６１】
本発明の技術的解決法は、グローバル・システム・フォー・モバイル・コミュニケーションズ（英語：Global System for Mobile Communications、略称ＧＳＭ）システム、ジェネラル・パケット・ラジオ・サービス（英語：General Packet Radio Service、略称ＧＰＲＳ）システム、符号分割多元接続（英語：Code Division Multiple Access、略称ＣＤＭＡ）システム、ＣＤＭＡ２０００システム、広帯域符号分割多元接続（英語：Wideband Code Division Multiple Access、略称ＷＣＤＭＡ）システム、ロングタームエボリューション（英語：Long Term Evolution、略称ＬＴＥ）システム、または、マイクロ波アクセス世界的相互運用性（英語：World Interoperability for Microwave Access、略称ＷｉＭＡＸ）システムのような、様々な無線通信システムに適用されてよい。
【００６２】
図２は、本発明の一実施形態に従ったチャネル状態情報フィードバック方法の概略フローチャートである。図２に示されるように、本実施形態におけるチャネル状態情報フィードバック方法は、以下を含んでよい。
【００６３】
２０１：フィードバックされる必要のあるプリコーディングマトリックス指標ＰＭＩおよびチャネル品質情報ＣＱＩ、並びに、ＰＭＩおよびＣＱＩのフィードバック表現方式を、ユーザ機器が決定する。
【００６４】
フィードバック表現方式は、ＰＭＩおよびＣＱＩをユーザ機器がフィードバックする場合にＰＭＩおよびＣＱＩを表すべく使用される方式を参照し、フィードバック表現方式は、少なくとも第１フィードバック表現方式または第２フィードバック表現方式を含む。ここで、
第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、Ｔ個のＣＱＩ値のうちの少なくとも１つのＣＱＩ値は、少なくとも２つのコードワードのチャネル品質情報を表すことが可能である。また、
第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、Ｍ個のＣＱＩ値のうちの少なくとも１つのＣＱＩ値のビット数は３より小さく、少なくとも１つのＣＱＩ値のビット数は３より大きい。ここで、
ＰＭＩおよびＣＱＩに対応する任意のダウンリンク物理リソースブロックＰＲＢペアにおいて、Ｍ個のコードワードのうちの任意のコードワードが、異なる複数のダウンリンクサブキャリアにおいて同じ１つのレイヤにマッピングされる。例えば、ＵＥがＰＭＩおよびＣＱＩをレポートする場合、異なる複数のレポートモードが存在し、これら複数のレポートモードは、１つのことを共通に有している。すなわち、レポートされた各ＰＭＩまたはＣＱＩは、特定の帯域幅に対応する（すなわち、複数のＰＲＢペアの特定の数に対応する）。例えば、もしもブロードバンドＰＭＩおよび／またはブロードバンドＣＱＩをＵＥがレポートする場合、それらは全システム帯域幅に対応する。もしもＵＥがブロードバンドＰＭＩをレポートする場合には、ＵＥが、全ダウンリンクシステム帯域幅の全てのＰＲＢペアから１つのパブリックなＰＭＩを選択し、そのパブリックなＰＭＩを基地局へとレポートすることに等しい。このＰＭＩに対応するプリコーディングマトリックスを用いることによって、全システム帯域幅内で基地局がプリコーディングを実行する場合に、ＵＥは、最良の効果が達成されているとみなす。同様に、もしもＵＥがブロードバンドＰＭＩのみではなく、ブロードバンドＣＱＩもまたレポートする場合には、全ダウンリンクシステム帯域幅内において、レポートされたブロードバンドＰＭＩに対応するプリコーディングマトリックスを用いることによって基地局がプリコーディングを実行する場合に、ＵＥが、対応するブロードバンドＣＱＩをレポートされたＣＱＩであるとみなすことに等しい。もしもＵＥがブロードバンドＰＭＩをレポートするのみでなく、サブバンドＣＱＩもまたレポートする場合には、全ダウンリンクシステム帯域幅内において、レポートされたブロードバンドＰＭＩに対応するプリコーディングマトリックスを用いることによって基地局がプリコーディングを実行する場合に、ＵＥが、このサブバンド中のＣＱＩをレポートされたＣＱＩであるとみなすことに等しい。ここで、１つのサブバンドは、一般的に、複数のＰＲＢペアを含む。しかし、サブバンド帯域幅はシステム帯域幅より小さい。
【００６５】
結論として、１つのＰＭＩに対応する複数のダウンリンクＰＲＢペアは、これら複数のＰＲＢペアにおいて、このＰＭＩに対応するプリコーディングマトリックスを用いることによって基地局がプリコーディングを実行することをＵＥが予期し、このＰＭＩが基地局へとフィードバックされること、さらに、どの複数のＰＲＢペアがこのＰＭＩに対応するのかを基地局とＵＥの両方が知っており、従って、これら複数のＰＲＢペアが、このＰＭＩに対応する複数のダウンリンクＰＲＢペアであることを参照する。
【００６６】
ＵＥがＰＭＩおよびＣＱＩをフィードバックする場合、および、これら複数のＰＲＢペアにおいて、ＵＥによってフィードバックされたこれら複数のＰＲＢペアのプリコーディングマトリックスを用いることによって基地局がプリコーディングを実行する場合、これら複数のＰＲＢペアのＣＱＩは、ＵＥによってフィードバックされたＣＱＩである。従って、ＣＱＩに対応する複数のダウンリンクＰＲＢペアは、ＵＥにより予期されるプリコーディングマトリックスを用いることによって基地局がプリコーディングを実行する場合に、いくつかのＰＲＢペアのＣＱＩ（サブバンドＣＱＩ、ブロードバンドＣＱＩ、等）をＵＥがレポートし、これら複数のＰＲＢペアが、このＣＱＩに対応する複数のＰＲＢペアであることを意味する。
【００６７】
ＰＭＩおよびＣＱＩに対応する任意のダウンリンクＰＲＢペアにおいて、ＰＭＩに対応する複数のＰＲＢペアがＣＱＩに対応する複数のＰＲＢペアと完全に同じではない場合、ＰＭＩおよびＣＱＩに対応するＰＲＢペアは、以下の複数の場合のうちの任意の１つであってよい。
ＰＭＩに対応する複数のＰＲＢペアのみを含む；
ＣＱＩに対応する複数のＰＲＢペアのみを含む；
ＰＭＩに対応する複数のＰＲＢペアとＣＱＩに対応する複数のＰＲＢペアの共通集合を含む；
ＰＭＩに対応する複数のＰＲＢペアとＣＱＩに対応する複数のＰＲＢペアとの間の和集合を含む。
【００６８】
基地局がダウンリンク送信を実行する場合、Ｍ個のコードワードはＭ個のチャネル符号化コードワードである。さらに、１つのコードワードから１つのレイヤへのマッピングは、基地局側およびＵＥ側の両方において定義される。図３−１は、１つのコードワードから１つのレイヤへのマッピングの例を与える。１つのコードワードから１つのレイヤへのマッピングについての具体的な詳細は、３ＧＰＰ  ＴＳ  ３６．２１１  Ｖ１１．２．０を参照すればよい。フィードバックされる必要のあるコードワードのＰＭＩおよびＣＱＩをＵＥが算出する場合、１つのコードワードから１つのレイヤへの特定されたマッピングを前提に、コードワードのＣＱＩが得られるということを仮定する。その後、Ｍ個のコードワードのうちの任意のコードワードが、異なる複数のダウンリンクサブキャリアにおいて同じ１つのレイヤにマッピングされる。すなわち、基地局がダウンリンクデータ送信を実行する場合に、Ｍ個のコードワードのうちの任意のコードワードが、異なる複数のダウンリンクサブキャリアにおいて同じ１つのレイヤにマッピングされることを前提として、ＵＥがコードワードのＣＱＩを取得する。例えば、２つのコードワードが存在し、ランク＝２であると、第１のコードワードは、任意のＰＲＢペアの全てのサブキャリアにおいて第１レイヤへとマッピングされ、第２のコードワードは、任意のＰＲＢペアの全てのサブキャリアにおいて第２レイヤへとマッピングされる。
【００６９】
例えば、フィードバックされる必要のあるプリコーディングマトリックス指標ＰＭＩおよびチャネル品質情報ＣＱＩをユーザ機器が決定することは、以下を含んでよい。
ＵＥは、パイロットサブキャリアにおいて、基地局によって送信されたパイロット信号を受信し、ＵＥによってローカルに生成されたまたはＵＥ中にローカルに記憶されたパイロット系列に従ってパイロットサブキャリアのチャネルを評価する。非パイロットサブキャリアのチャネルは、パイロットサブキャリアのチャネルに従った補間によって得られる。このように、複数のサブキャリアの複数のチャネルが得られる。その後、フィードバックされたランクに従って、このランクのうちで最良のＰＭＩが選択される。例えば、与えられたランクの場合において、ブロードバンド（システム帯域幅）ＰＭＩおよびブロードバンドＣＱＩを得る必要があるとすると、このランクにおいて複数のプリコーディングマトリックス上でトラバーサルが連続して実行され、全帯域幅において得られてよいデータ送信レートが、各プリコーディングマトリックスについて算出され、これにより、最大データ送信レートを有するプリコーディングマトリックスが選択され得る。さらに、ＵＥは、選択されたプリコーディングマトリックスに従って、対応する帯域幅（システム帯域幅）のＣＱＩを取得する。その後ＵＥは、選択されたプリコーディングマトリックスに対応するＰＭＩを基地局へとフィードバックする。また、ＵＥは、プリコーディングマトリックスを用いることによってプリコーディングを実行することにより、基地局が取得するＣＱＩを基地局へとフィードバックする。同様に、もしもＵＥがサブバンドのＰＭＩおよびＣＱＩを算出する必要がある場合には、サブバンドに対するＰＭＩおよびＣＱＩを算出するために、帯域幅を変化させることのみ必要とされる。上記は、与えられたランクの場合においてＰＭＩおよびＣＱＩを算出する方法を記載する。ＵＥがランクをフィードバックする必要がある場合、ＵＥは、全システム帯域幅において、最大データ送信レートを有するプリコーディングマトリックスを得るべく、あらゆるランクにおけるあらゆるＰＭＩをトラバースする必要がある。ここで、このプリコーディングマトリックスの１つのランクは、ＵＥがフィードバックする必要のあるランク（最良のランクに等しい）である。ブロードバンド／サブバンドＰＭＩ／ＣＱＩおよびランクをフィードバックするプロセスの詳細については、３ＧＰＰ  ＴＳ  ３６．２１３  Ｖ１１．２．０を参照すればよい。
【００７０】
例えば、ＰＭＩおよびＣＱＩのフィードバック表現方式をユーザ機器が決定することは、以下を含んでよい。
ＰＭＩおよびＣＱＩのフィードバック表現方式を、アンテナ構成情報に従ってユーザ機器が決定すること。または、
ＰＭＩおよびＣＱＩのフィードバック表現方式を、ネットワークデバイスによって送信されたより上位のレイヤシグナリングに従ってユーザ機器が決定すること。ここで、より上位のレイヤシグナリングは、ＰＭＩおよびＣＱＩのフィードバック表現方式を含む。例えば、より上位のレイヤシグナリングは、無線リソース制御（ＲＲＣ）シグナリングである。ネットワークデバイスは、基地局、リレー（Relay）、マクロノード（Macro Node）、ピコノード（Pico Node）、等であってよい。
【００７１】
１つのＰＭＩは少なくとも１つのＰＲＢペアに対応するＰＭＩを表し、１つのＰＲＢペアは、対応するＰＭＩを１つだけ有する。任意のコードワードから１つのレイヤへとマッピングするために、１つのＰＲＢペアにおいて、このコードワードが、各サブキャリアにて同じ１つのレイヤにマッピングされる。各サブキャリアにて同じ１つのレイヤにマッピングされることは、全てのコードワードから１つのレイヤへのマッピングが実行される場合に、複数のコードワードに対する異なる複数のサブキャリアにて、レイヤシフトも同等な変化も存在しないことに等しい。代替的に、任意のコードワードから１つのレイヤへとマッピングするために、このＰＭＩに対応する全てのＰＲＢペアにおいて、またはシステム帯域幅において、このコードワードが、全てのサブキャリアにて同じ１つのレイヤにマッピングされる。
【００７２】
図３は、本発明の一実施形態に従った、エミュレーションによって得られる、異なる数の送信アンテナに対する複数のチャネルマトリックス条件数の概略的比較図である。エミュレーションにおいては、１つの送信アンテナおよび１つの受信アンテナに対する１つのチャネルがシングルパスレイリー分布に従い、受信アンテナの数が固定されている（例えば、受信アンテナの数が２である）場合、および、送信アンテナの数が相対的に大きい（例えば、２、４、８、１６、３２、または６４個の送信アンテナ）場合の、チャネルマトリックス条件数についての累積分布関数（cumulative distribution function、ＣＤＦ）比較が図３に示されている。ここで、チャネルマトリックスの条件数（condition number）は、このチャネルマトリックスの最小固有値に対する、このチャネルマトリックスの最大固有値の比として定義される。さらに、各レイヤのチャネル品質情報は、対応する固有値に関連し、より大きな対応する固有値は、このレイヤのより良好なチャンネル品質を示す。送信アンテナの数がより大きくなると、チャネルマトリックス条件数が１に近付くことが、図３からわかる。すなわち、この場合、チャネルマトリックス条件数は、恐らくほぼ、１に近い数である。
【００７３】
図３に示されるように、アンテナ数が３２より大きいかまたは３２に等しい場合、および、チャネルマトリックス条件数の累積分布関数値が１である場合、チャネルマトリックス条件数は１に近付く。すなわち、全てのレイヤのチャンネル品質が、互いに対して相対的に同様である。図３は１つの例として使用されるものである。受信アンテナの数は２であり、その場合、データを送信するためのレイヤの最大数は２である。一般的に、ＭＩＭＯシステムにおいては、データを送信するためのレイヤの最大数は、送信アンテナの数および受信アンテナの数の最小値である。レイヤの数が２である場合、２つのチャネル符号化コードワードが存在し、１つのコードワードが１つのレイヤに対してマッピングされる。よって、２つのコードワードのＣＱＩはほぼ同じである。従って、この実施形態においては、第１アンテナ数閾値が設定されてよく、第１アンテナ数閾値は、好ましくは３２である。
【００７４】
図３−１は、本発明の一実施形態において適用される、１つのコードワードから１つのレイヤへのマッピングの概略図である。図３−１に示されるように、送信レイヤの数が２の場合、コードワード１がレイヤ１にマッピングされ、コードワード２がレイヤ２にマッピングされることが仮定される。送信レイヤの数が３の場合には、コードワード１がレイヤ１にマッピングされ、コードワード２がレイヤ２およびレイヤ３にマッピングされることが仮定される。送信レイヤの数が４の場合には、コードワード１がレイヤ１およびレイヤ２にマッピングされ、コードワード２がレイヤ３およびレイヤ４にマッピングされることが仮定される。このことから、もしも送信レイヤの数が２より大きいかまたは２に等しいとすると、ＵＥがＣＳＩをフィードバックする場合、２つのコードワードを用いてＣＱＩがレポートされ、各コードワードは１つのＣＱＩをレポートすべく使用されることがわかる。ここでは、ＣＱＩ１をレポートすべくコードワード１が使用され、ＣＱＩ２をレポートすべくコードワード２が使用される。
【００７５】
別の例としては、もしもアンテナ数が３２より小さく、且つ、１６より大きいかまたは１６に等しいとすると、チャネルマトリックス条件数の累積分布関数値が１である場合、チャネルマトリックス条件数は２に近付く。すなわち、アンテナ数と比較して、各レイヤまたはコードワードのＣＱＩ関連性がより低くなる。この場合は、第２アンテナ数閾値が設定されてよく、第２アンテナ数閾値は好ましくは１６である。
【００７６】
図３および図３−１にて得られるエミュレーション結果に基づくと、アンテナ構成情報は構成されるアンテナの数を含み、ＰＭＩおよびＣＱＩのフィードバック表現方式をアンテナ構成情報に従ってユーザ機器により決定する段階は、以下を含む。
構成されるアンテナの数が第１アンテナ数閾値より大きいかまたは等しい場合には、ＰＭＩおよびＣＱＩのフィードバック表現方式が第１フィードバック表現方式または第２フィードバック表現方式であると決定する段階。
構成されるアンテナの数が、第１アンテナ数閾値より小さく、且つ、第２アンテナ数閾値より大きいかまたは等しい場合には、ＰＭＩおよびＣＱＩのフィードバック表現方式が第２フィードバック表現方式であると決定する段階。または、
構成されるアンテナの数が第２アンテナ数閾値より小さい場合には、ＰＭＩおよびＣＱＩのフィードバック表現方式が第３フィードバック表現方式であると決定する段階。ここで、第３フィードバック表現方式は、既存のフィードバック表現方式であり、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用してＰＭＩを表すことを含む。
【００７７】
エミュレーション実験を通して、以下の事項が得られるということに留意されるべきである。すなわち、水平アンテナのチャネルの独立性の方が垂直アンテナのチャネルの独立性より高く、水平アンテナのチャネルのＣＱＩ関連性の方が垂直アンテナのチャネルのＣＱＩ関連性より低いこと、従って、アンテナ構成情報はアンテナ構成パターンをさらに含み、アンテナ構成パターンは、水平アンテナ構成および垂直アンテナ構成を含む。また、
構成されるアンテナの数が第１アンテナ数閾値より大きいかまたは等しい場合にＰＭＩおよびＣＱＩのフィードバック表現方式が第１フィードバック表現方式または第２フィードバック表現方式であると決定する段階は、以下を含む。
構成されるアンテナの数が第１アンテナ数閾値より大きいかまたは等しく、構成されるアンテナの数のうち、水平に構成されるアンテナの数が垂直に構成されるアンテナの数より大きいと決定される場合には、ＰＭＩおよびＣＱＩのフィードバック表現方式が第１フィードバック表現方式であると決定する段階。または、
構成されるアンテナの数が第１アンテナ数閾値より大きいかまたは等しく、構成されるアンテナの数のうち、水平に構成されるアンテナの数が垂直に構成されるアンテナの数より小さいと決定される場合には、ＰＭＩおよびＣＱＩのフィードバック表現方式が第２フィードバック表現方式であると決定する段階。または、
構成されるアンテナの数が第１アンテナ数閾値より大きいかまたは等しく、構成されるアンテナの数のうち、水平に構成されるアンテナの数が垂直に構成されるアンテナの数に等しいと決定される場合には、ＰＭＩおよびＣＱＩのフィードバック表現方式が第１フィードバック表現方式または第２フィードバック表現方式であると決定する段階。
【００７８】
さらに、図４は、本発明の一実施形態において適用される第１フィードバック表現方式の概略図である。図４に示されるように、Ｍ／Ｔ＝Ｋ、Ｋが正の整数である場合、Ｋ個のコードワードのＣＱＩは、１つのＣＱＩ値を用いて表されてよい。
【００７９】
２０２：決定されたフィードバック表現方式で、ＰＭＩおよびＣＱＩをユーザ機器がネットワークデバイスへと送信する。
【００８０】
図３に示されるエミュレーション結果に基づくと、構成されるアンテナの数が徐々に増大する場合、各チャネルの独立性がより高く、各チャネルのＣＱＩ関連性がより高い。システムオーバヘッドが増大することを避けるべく、ＵＥがＣＳＩをフィードバックする場合、２つのコードワード（すなわち、Ｍが２に等しい）のみのＣＱＩが、依然としてレポートされてよい。
【００８１】
図５は、本発明の一実施形態において適用されるチャネル状態情報フィードバック表現方式の概略図である。図５に示されるように、Ｍが２に等しい場合、第１フィードバック表現方式は、１つのＰＵＣＣＨの４ビット（すなわち、１つのＣＱＩ値）を使用して、第１および第２のコードワードのＣＱＩ（２つのコードワードのＣＱＩ）を表すことを含む。図１に示される従来技術において適用されるフィードバック表現方式と比較すると、図５に示されるフィードバック表現方式は、３ビットを省き、ＣＱＩフィードバックのためのビット数を低減し、フィードバックチャネルのオーバヘッドを低減することができる。
【００８２】
構成されるアンテナの数が増大する場合、１つのコードブックにおけるＰＭＩの数がこれに従って増大すること、および、これは、このコードブックにおけるＰＭＩのインデックスの数もまた増大させることを示し、複数のＰＭＩを表すためにより多くのビットが必要であるということを意味することに留意されるべきである。
【００８３】
第１フィードバック表現方式において、第１および第２のコードワードの両者のＣＱＩは、１つのＰＵＣＣＨの４ビットを用いて表される。従って、省略された３ビット（すなわち、第２のコードワードのチャネル品質指標に対応する３ビット）が、ＰＭＩを表すべく使用されてよい。図１に示される従来技術において適用されるフィードバック表現方式と比較すると、図５に示されるフィードバック表現方式においては、１つのＰＵＣＣＨの合計７ビットを用いてＰＭＩが表され、１つのＰＵＣＣＨの４ビットを用いて２つのコードワードのＣＱＩが表される。ＣＳＩフィードバックに対するビットの数が変化しない場合、図３に示されるエミュレーション結果に基づくと、構成されるアンテナの数が徐々に増大する場合、各レイヤまたは各コードワードのＣＱＩ関連性がより高く、これはＣＱＩフィードバックに対するビットを低減し、ＰＭＩフィードバックに対するビットを増大させることができ、ＣＱＩフィードバックの正確さを低減することなくＰＭＩフィードバックの正確さを増大させることができ、フィードバックチャネルのオーバヘッドを増大させない。
【００８４】
図６は、本発明の一実施形態において適用される別のチャネル状態情報フィードバック表現方式の概略図である。図６に示されるように、Ｍが２に等しい場合、第２フィードバック表現方式は、１つのＰＵＣＣＨの４ビットを使用して第１のコードワードのチャネル品質指標を表すこと、１つのＰＵＣＣＨの３ビットより少ないビットを使用して第２のコードワードのチャネル品質指標を表すこと、および、１つのＰＵＣＣＨの４ビットを使用してＰＭＩを表すことを含む。図１に示される従来技術において適用されるフィードバック表現方式と比較すると、図６に示されるフィードバック表現方式は、コードブックの正確さを低減することなくＣＱＩフィードバックのためのビット数を低減することができ、フィードバックチャネルのオーバヘッドを低減することができる。
【００８５】
大規模なＭＩＭＯシステムの特徴（すなわち、構成されるアンテナの数が徐々に増大するに連れて、各レイヤまたは各コードワードのＣＱＩ関連性がより高くなる）に基づいて、本発明のこの実施形態において決定されたＰＭＩおよびＣＱＩのフィードバック表現方式は、ＣＱＩフィードバックに対するビットを低減し、ＰＭＩフィードバックに対するビットを増大させ、構成されるアンテナの数が増大する状況に対して適用され得る。また、１つのＰＵＣＣＨにおいてフィードバックされるＰＭＩおよびＣＱＩのビット数が従来技術の１１ビットを超えない場合、フィードバックチャネルのオーバヘッドが増加されない。
【００８６】
図７は、本発明の別の実施形態に従ったチャネル状態情報フィードバック装置の概略構造図である。装置はユーザ機器側に配置され、図１から図６に対応する方法の複数の実施形態における方法を実行することができる。図７に示されるように装置は、以下を含む。
フィードバックされる必要のあるプリコーディングマトリックス指標ＰＭＩおよびチャネル品質情報ＣＱＩ、並びに、ＰＭＩおよびＣＱＩのフィードバック表現方式を決定するように構成された決定モジュール７１。ここで、フィードバック表現方式は、ＰＭＩおよびＣＱＩをユーザ機器がフィードバックする場合にＰＭＩおよびＣＱＩを表すべく使用される方式を参照し、フィードバック表現方式は、少なくとも第１フィードバック表現方式または第２フィードバック表現方式を含む。および、
決定されたフィードバック表現方式で、ＰＭＩおよびＣＱＩをネットワークデバイスへと送信するように構成された送信モジュール７２。ここで、
第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、Ｔ個のＣＱＩ値のうちの少なくとも１つのＣＱＩ値は、少なくとも２つのコードワードのチャネル品質情報を表すことが可能である。また、
第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、Ｍ個のＣＱＩ値のうちの少なくとも１つのＣＱＩ値のビット数は３より小さく、少なくとも１つのＣＱＩ値のビット数は３より大きい。ここで、
ＰＭＩおよびＣＱＩに対応する任意のダウンリンク物理リソースブロックＰＲＢペアにおいて、Ｍ個のコードワードのうちの任意のコードワードが、異なる複数のダウンリンクサブキャリアにおいて同じ１つのレイヤにマッピングされる。
【００８７】
例えば、決定モジュール７１は、以下のように具体的に構成される。
ＰＭＩおよびＣＱＩのフィードバック表現方式を、アンテナ構成情報に従って決定する。または、
装置が、ネットワークデバイスによって送信されたより上位のレイヤシグナリングを受信するように構成された受信モジュール７３をさらに含む。ここで、より上位のレイヤシグナリングは、ＰＭＩおよびＣＱＩのフィードバック表現方式を含む。ここで、
決定モジュール７１は、ＰＭＩおよびＣＱＩのフィードバック表現方式を、受信モジュール７３によって受信されたより上位のレイヤシグナリングに含まれるＰＭＩおよびＣＱＩのフィードバック表現方式に従って決定するように、さらに構成される。
【００８８】
構成されるアンテナの数をアンテナ構成情報が含む場合、決定モジュール７１は、以下のように具体的に構成される。
構成されるアンテナの数が第１アンテナ数閾値より大きいかまたは等しい場合には、ＰＭＩおよびＣＱＩのフィードバック表現方式が第１フィードバック表現方式または第２フィードバック表現方式であると決定する。
構成されるアンテナの数が、第１アンテナ数閾値より小さく、且つ、第２アンテナ数閾値より大きいかまたは等しい場合には、ＰＭＩおよびＣＱＩのフィードバック表現方式が第２フィードバック表現方式であると決定する。または、
構成されるアンテナの数が第２アンテナ数閾値より小さい場合には、ＰＭＩおよびＣＱＩのフィードバック表現方式が第３フィードバック表現方式であると決定する。ここで、
第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用してＰＭＩを表すことを含む。
【００８９】
アンテナ構成情報はアンテナ構成パターンをさらに含み、アンテナ構成パターンは、水平アンテナ構成および垂直アンテナ構成を含む。また、
決定モジュール７１は、以下のように具体的に構成される。
構成されるアンテナの数が第１アンテナ数閾値より大きいかまたは等しく、構成されるアンテナの数のうち、水平に構成されるアンテナの数が垂直に構成されるアンテナの数より大きいと決定される場合には、ＰＭＩおよびＣＱＩのフィードバック表現方式が第１フィードバック表現方式であると決定する。または、
構成されるアンテナの数が第１アンテナ数閾値より大きいかまたは等しく、構成されるアンテナの数のうち、水平に構成されるアンテナの数が垂直に構成されるアンテナの数より小さいと決定される場合には、ＰＭＩおよびＣＱＩのフィードバック表現方式が第２フィードバック表現方式であると決定する。または、
構成されるアンテナの数が第１アンテナ数閾値より大きいかまたは等しく、構成されるアンテナの数のうち、水平に構成されるアンテナの数が垂直に構成されるアンテナの数に等しいと決定される場合には、ＰＭＩおよびＣＱＩのフィードバック表現方式が第１フィードバック表現方式または第２フィードバック表現方式であると決定する。
【００９０】
第１アンテナ数閾値は３２であり、第２アンテナ数閾値は１６である。
【００９１】
Ｍが２に等しい場合、第１フィードバック表現方式は、１つのＰＵＣＣＨの４ビットを使用して第１のコードワードのＣＱＩおよび第２のコードワードのＣＱＩを表すこと、および、１つのＰＵＣＣＨの４または７ビットを使用してＰＭＩを表すことを含む。
【００９２】
Ｍが２に等しい場合、第２フィードバック表現方式は、１つのＰＵＣＣＨの４ビットを使用して第１のコードワードのＣＱＩを表すこと、１つのＰＵＣＣＨの３ビットより少ないビットを使用して第２のコードワードのＣＱＩを表すこと、および、１つのＰＵＣＣＨの４ビットを使用してＰＭＩを表すことを含む。
【００９３】
大規模なＭＩＭＯシステムの特徴（すなわち、構成されるアンテナの数が徐々に増大するに連れて、各レイヤまたは各コードワードのＣＱＩ関連性がより高くなる）に基づいて、本発明のこの実施形態において決定されたＰＭＩおよびＣＱＩのフィードバック表現方式は、ＣＱＩフィードバックに対するビットを低減し、ＰＭＩフィードバックに対するビットを増大させ、コードブックの正確さおよびＣＳＩフィードバックの性能を低減することなく、構成されるアンテナの数が増大する状況に対して適用され得る。
【００９４】
さらに、この実施形態においては、１つのＰＵＣＣＨにおいてフィードバックされるＰＭＩおよびＣＱＩのビット数が従来技術の１１ビットを超えない場合、フィードバックチャネルのオーバヘッドが増加されない。
【００９５】
図８は、本発明の別の実施形態に従ったユーザ機器の概略構造図である。ユーザ機器は、図１から図６に対応する方法の複数の実施形態における方法を実行することができる。図８に示されるように、ユーザ機器はプロセッサ８１および送信機８２を含む。ここでプロセッサ８１は、通信バスを用いることにより送信機８２へと接続される。
プロセッサ８１は、フィードバックされる必要のあるプリコーディングマトリックス指標ＰＭＩおよびチャネル品質情報ＣＱＩ、並びに、ＰＭＩおよびＣＱＩのフィードバック表現方式を決定するように構成される。ここで、フィードバック表現方式は、ＰＭＩおよびＣＱＩをユーザ機器がフィードバックする場合にＰＭＩおよびＣＱＩを表すべく使用される方式を参照し、フィードバック表現方式は、少なくとも第１フィードバック表現方式または第２フィードバック表現方式を含む。また、
送信機８２は、プロセッサ８１によって決定されたフィードバック表現方式で、ＰＭＩおよびＣＱＩをネットワークデバイスへと送信するように構成される。ここで、
第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、Ｔ個のＣＱＩ値のうちの少なくとも１つのＣＱＩ値は、少なくとも２つのコードワードのチャネル品質情報を表すことが可能である。また、
第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、Ｍ個のＣＱＩ値のうちの少なくとも１つのＣＱＩ値のビット数は３より小さく、少なくとも１つのＣＱＩ値のビット数は３より大きい。ここで、
ＰＭＩおよびＣＱＩに対応する任意のダウンリンク物理リソースブロックＰＲＢペアにおいて、Ｍ個のコードワードのうちの任意のコードワードが、異なる複数のダウンリンクサブキャリアにおいて同じ１つのレイヤにマッピングされる。
【００９６】
例えば、プロセッサ８１は、以下のように具体的に構成される。
ＰＭＩおよびＣＱＩのフィードバック表現方式を、アンテナ構成情報に従って決定する。または、
ユーザ機器が、
通信バスを用いてプロセッサ８１に接続された受信機８３であって、ネットワークデバイスによって送信されたより上位のレイヤシグナリングを受信するように構成された受信機８３をさらに含む。ここで、より上位のレイヤシグナリングは、ＰＭＩおよびＣＱＩのフィードバック表現方式を含む。また、
プロセッサ８１は、ＰＭＩおよびＣＱＩのフィードバック表現方式を、受信機によって受信され且つネットワークデバイスによって送信されたより上位のレイヤシグナリングに従って決定するように、さらに具体的に構成される。
【００９７】
アンテナ構成情報は構成されるアンテナの数を含み、プロセッサ８１は、以下のように具体的に構成される。
構成されるアンテナの数が第１アンテナ数閾値より大きいかまたは等しい場合には、ＰＭＩおよびＣＱＩのフィードバック表現方式が第１フィードバック表現方式または第２フィードバック表現方式であると決定する。
構成されるアンテナの数が、第１アンテナ数閾値より小さく、且つ、第２アンテナ数閾値より大きいかまたは等しい場合には、ＰＭＩおよびＣＱＩのフィードバック表現方式が第２フィードバック表現方式であると決定する。または、
構成されるアンテナの数が第２アンテナ数閾値より小さい場合には、ＰＭＩおよびＣＱＩのフィードバック表現方式が第３フィードバック表現方式であると決定する。ここで、第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用してＰＭＩを表すことを含む。
【００９８】
アンテナ構成情報はアンテナ構成パターンをさらに含み、アンテナ構成パターンは、水平アンテナ構成および垂直アンテナ構成を含む。また、
プロセッサ８１は、以下のように具体的に構成される。
構成されるアンテナの数が第１アンテナ数閾値より大きいかまたは等しく、構成されるアンテナの数のうち、水平に構成されるアンテナの数が垂直に構成されるアンテナの数より大きいと決定される場合には、ＰＭＩおよびＣＱＩのフィードバック表現方式が第１フィードバック表現方式であると決定する。または、
構成されるアンテナの数が第１アンテナ数閾値より大きいかまたは等しく、構成されるアンテナの数のうち、水平に構成されるアンテナの数が垂直に構成されるアンテナの数より小さいと決定される場合には、ＰＭＩおよびＣＱＩのフィードバック表現方式が第２フィードバック表現方式であると決定する。または、
構成されるアンテナの数が第１アンテナ数閾値より大きいかまたは等しく、構成されるアンテナの数のうち、水平に構成されるアンテナの数が垂直に構成されるアンテナの数に等しいと決定される場合には、ＰＭＩおよびＣＱＩのフィードバック表現方式が第１フィードバック表現方式または第２フィードバック表現方式であると決定する。
【００９９】
第１アンテナ数閾値は３２であり、第２アンテナ数閾値は１６である。
【０１００】
Ｍが２に等しい場合、第１フィードバック表現方式は、１つのＰＵＣＣＨの４ビットを使用して第１のコードワードのＣＱＩおよび第２のコードワードのＣＱＩを表すこと、および、１つのＰＵＣＣＨの４または７ビットを使用してＰＭＩを表すことを含む。
【０１０１】
Ｍが２に等しい場合、第２フィードバック表現方式は、１つのＰＵＣＣＨの４ビットを使用して第１のコードワードのＣＱＩを表すこと、１つのＰＵＣＣＨの３ビットより少ないビットを使用して第２のコードワードのＣＱＩを表すこと、および、１つのＰＵＣＣＨの４ビットを使用してＰＭＩを表すことを含む。
【０１０２】
大規模なＭＩＭＯシステムの特徴（すなわち、構成されるアンテナの数が徐々に増大するに連れて、各レイヤまたは各コードワードのＣＱＩ関連性がより高くなる）に基づいて、本発明のこの実施形態において決定されたＰＭＩおよびＣＱＩのフィードバック表現方式は、ＣＱＩフィードバックに対するビットを低減し、ＰＭＩフィードバックに対するビットを増大させ、コードブックの正確さおよびＣＳＩフィードバックの性能を低減することなく、構成されるアンテナの数が増大する状況に対して適用され得る。
【０１０３】
さらに、この実施形態においては、１つのＰＵＣＣＨにおいてフィードバックされるＰＭＩおよびＣＱＩのビット数が従来技術の１１ビットを超えない場合、フィードバックチャネルのオーバヘッドが増加されない。
【０１０４】
図１から図６に示される方法の複数の実施形態におけるユーザ機器側での方法に対応して、図９は、本発明の別の実施形態に従った、ネットワークデバイス側での、チャネル状態情報フィードバック方法の概略フローチャートである。図９に示されるように、この実施形態におけるチャネル状態情報フィードバック方法は、以下を含んでよい。
【０１０５】
９０１：ネットワークデバイスが、ＰＭＩおよびＣＱＩのフィードバック表現方式を、アンテナ構成情報に従って決定する。ここで、フィードバック表現方式は、第１フィードバック表現方式または第２フィードバック表現方式を含む。
【０１０６】
ネットワークデバイスは、基地局、リレー（Relay）、マクロノード（Macro Node）、ピコノード（Pico Node）、等を含んでよい。
【０１０７】
本発明の任意の実施形態においてアンテナ構成情報は構成されるアンテナの数を含み、ステップ９０１が以下を含む。
構成されるアンテナの数が第１アンテナ数閾値より大きいかまたは等しい場合には、ＰＭＩおよびＣＱＩのフィードバック表現方式が第１フィードバック表現方式または第２フィードバック表現方式であると決定する段階。ここで、第１フィードバック表現方式は、Ｔ個のチャネル品質情報値を使用してＭ個のコードワードのチャネル品質情報を表すこと、および、１つのプリコーディングマトリックス値を使用して１つのプリコーディングマトリックスを表すことを含む。ここで、ＴはＭより小さく、且つ１より大きいかまたは１に等しく、Ｍは２より大きいかまたは２に等しく、Ｔ個のチャネル品質情報値のうちの少なくとも１つのチャネル品質情報値は、少なくとも２つのコードワードのチャネル品質情報を表す。
構成されるアンテナの数が、第１アンテナ数閾値より小さく、且つ、第２アンテナ数閾値より大きいかまたは等しい場合には、ＰＭＩおよびＣＱＩのフィードバック表現方式が第２フィードバック表現方式であると決定する段階。ここで、第２フィードバック表現方式は、Ｍ個のチャネル品質情報値を使用してＭ個のコードワードのチャネル品質情報を表すこと、および、１つのプリコーディングマトリックス値を使用して１つのプリコーディングマトリックスを表すことを含む。ここで、Ｍ個のコードワードのチャネル品質情報値のうちの少なくとも１つのチャネル品質情報値のビット数は３より小さく、少なくとも１つのチャネル品質情報値のビット数は３より大きい。または、
構成されるアンテナの数が第２アンテナ数閾値より小さい場合には、ＰＭＩおよびＣＱＩのフィードバック表現方式が第３フィードバック表現方式であると決定する段階。ここで、第３フィードバック表現方式は、ユーザ機器によってＰＭＩおよびＣＱＩをフィードバックするための既存の表現方式であってよい。すなわち、１つのＰＵＣＣＨの４ビットを用いて第１のコードワードのＣＱＩが表され、１つのＰＵＣＣＨの３ビットを用いて第２のコードワードのＣＱＩが表され、１つのＰＵＣＣＨの４ビットを用いてＰＭＩが表される。
【０１０８】
本発明の任意の実施形態においては、アンテナ構成情報はアンテナ構成パターンをさらに含み、アンテナ構成パターンは、水平アンテナ構成および垂直アンテナ構成を含む。また、
構成されるアンテナの数が第１アンテナ数閾値より大きいかまたは等しい場合にＰＭＩおよびＣＱＩのフィードバック表現方式が第１フィードバック表現方式または第２フィードバック表現方式であると決定する段階は、以下を含む。
構成されるアンテナの数が第１アンテナ数閾値より大きいかまたは等しく、構成されるアンテナの数のうち、水平に構成されるアンテナの数が垂直に構成されるアンテナの数より大きいと決定される場合には、ＰＭＩおよびＣＱＩのフィードバック表現方式が第１フィードバック表現方式であると決定する段階。
構成されるアンテナの数が第１アンテナ数閾値より大きいかまたは等しく、構成されるアンテナの数のうち、水平に構成されるアンテナの数が垂直に構成されるアンテナの数より小さいと決定される場合には、ＰＭＩおよびＣＱＩのフィードバック表現方式が第２フィードバック表現方式であると決定する段階。または、
構成されるアンテナの数が第１アンテナ数閾値より大きいかまたは等しく、構成されるアンテナの数のうち、水平に構成されるアンテナの数が垂直に構成されるアンテナの数に等しいと決定される場合には、ＰＭＩおよびＣＱＩのフィードバック表現方式が第１フィードバック表現方式または第２フィードバック表現方式であると決定する段階。
【０１０９】
第１アンテナ数閾値は好ましくは３２であり、第２アンテナ数閾値は好ましくは１６である。
【０１１０】
９０２：ネットワークデバイスが、ＰＭＩおよびＣＱＩのフィードバック表現方式をユーザ機器へと送信する。
【０１１１】
具体的にネットワークデバイスは、より上位のレイヤシグナリングを用いることによって、ＰＭＩおよびＣＱＩのフィードバック表現方式をユーザ機器へと送信してよい。ここで、より上位のレイヤシグナリングは、例えば、無線リソース制御（Radio Resource Control、ＲＲＣ）シグナリングである。
【０１１２】
これに応じて、ユーザ機器が、ＰＭＩおよびＣＱＩのフィードバック表現方式で、ＰＭＩおよびＣＱＩをネットワークデバイスへと送信する。具体的には、図２に示される実施形態における関連する記載を参照すればよく、詳細を再度記載はしない。
【０１１３】
９０３：ネットワークデバイスが、ＰＭＩおよびＣＱＩのフィードバック表現方式でユーザ機器によりフィードバックされたＰＭＩおよびＣＱＩを受信する。
【０１１４】
本発明の任意の実施形態においてネットワークデバイスは、ユーザ機器へとアンテナ構成情報を送信する。ここで、アンテナ構成情報は、フィードバックされる必要のあるプリコーディングマトリックス指標ＰＭＩおよびチャネル品質情報ＣＱＩ、並びに、ＰＭＩおよびＣＱＩのフィードバック表現方式を、アンテナ構成情報に含まれる構成されるアンテナの数に従って決定し、決定されたフィードバック表現方式でＰＭＩおよびＣＱＩをネットワークデバイスへと送信すべく、ユーザ機器により使用される。具体的には、図２に示される実施形態における関連する記載を参照すればよく、詳細を再度記載はしない。
【０１１５】
大規模なＭＩＭＯシステムの特徴（すなわち、構成されるアンテナの数が徐々に増大するに連れて、各レイヤまたは各コードワードのＣＱＩ関連性がより高くなる）に基づいて、本発明のこの実施形態において決定されたＰＭＩおよびＣＱＩのフィードバック表現方式は、ＰＭＩおよびＣＱＩのフィードバック表現方式におけるＣＱＩフィードバックに対するビットを低減し、ＰＭＩフィードバックに対するビットを増大させる。従って、コードブックの正確さおよびＣＳＩフィードバックの性能を低減することなく、構成されるアンテナの数が増大する状況に対して適用され得る。
【０１１６】
さらに、この実施形態においては、１つのＰＵＣＣＨにおいてフィードバックされるＰＭＩおよびＣＱＩのビット数が従来技術の１１ビットを超えない場合、フィードバックチャネルのオーバヘッドが増加されない。
【０１１７】
図１０は、本発明の別の実施形態に従ったチャネル状態情報フィードバック装置の概略構造図である。この装置は、図９に対応する方法の実施形態における方法を実行することが可能であり、ネットワークデバイス側に配置される。図１０に示されるように、この装置は以下を含む。
アンテナ構成情報をユーザ機器へと送信するよう構成される送信モジュール１１。ここで、アンテナ構成情報は、フィードバックされる必要のあるプリコーディングマトリックス指標ＰＭＩおよびチャネル品質情報ＣＱＩ、並びに、ＰＭＩおよびＣＱＩのフィードバック表現方式を、アンテナ構成情報に含まれる構成されるアンテナの数に従って決定し、決定されたフィードバック表現方式でＰＭＩおよびＣＱＩをネットワークデバイスへと送信すべく、ユーザ機器により使用される。または、
この装置が、
ＰＭＩおよびＣＱＩのフィードバック表現方式を、アンテナ構成情報に含まれる構成されるアンテナの数に従って決定するよう構成される決定モジュール１２をさらに含み、送信モジュール１１は、ＰＭＩおよびＣＱＩのフィードバック表現方式をユーザ機器へと送信するようにさらに構成される。および、
ＰＭＩおよびＣＱＩのフィードバック表現方式でユーザ機器によってフィードバックされたＰＭＩおよびＣＱＩを受信するように構成される受信モジュール１３を、この装置がさらに含む。ここで、
フィードバック表現方式は、ＰＭＩおよびＣＱＩをユーザ機器がフィードバックする場合にＰＭＩおよびＣＱＩを表すべく使用される方式を参照し、フィードバック表現方式は、少なくとも第１フィードバック表現方式または第２フィードバック表現方式を含む。ここで、
第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、Ｔ個のＣＱＩ値のうちの少なくとも１つのＣＱＩ値は、少なくとも２つのコードワードのチャネル品質情報を表すことが可能である。また、
第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、Ｍ個のＣＱＩ値のうちの少なくとも１つのＣＱＩ値のビット数は３より小さく、少なくとも１つのＣＱＩ値のビット数は３より大きい。ここで、
ＰＭＩおよびＣＱＩに対応する任意のダウンリンク物理リソースブロックＰＲＢペアにおいて、Ｍ個のコードワードのうちの任意のコードワードが、異なる複数のダウンリンクサブキャリアにおいて同じ１つのレイヤにマッピングされる。
【０１１８】
例えば、決定モジュール１２は、以下のように具体的に構成される。
構成されるアンテナの数が第１アンテナ数閾値より大きいかまたは等しい場合には、ＰＭＩおよびＣＱＩのフィードバック表現方式が第１フィードバック表現方式または第２フィードバック表現方式であると決定する。
構成されるアンテナの数が、第１アンテナ数閾値より小さく、且つ、第２アンテナ数閾値より大きいかまたは等しい場合には、ＰＭＩおよびＣＱＩのフィードバック表現方式が第２フィードバック表現方式であると決定する。または、
構成されるアンテナの数が第２アンテナ数閾値より小さい場合には、ＰＭＩおよびＣＱＩのフィードバック表現方式が第３フィードバック表現方式であると決定する。ここで、第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用してＰＭＩを表すことを含む。
【０１１９】
例えば、アンテナ構成情報はアンテナ構成パターンをさらに含み、アンテナ構成パターンは、水平アンテナ構成および垂直アンテナ構成を含む。また、
決定モジュール１２は、以下のように具体的に構成される。
構成されるアンテナの数が第１アンテナ数閾値より大きいかまたは等しく、構成されるアンテナの数のうち、水平に構成されるアンテナの数が垂直に構成されるアンテナの数より大きいと決定される場合には、ＰＭＩおよびＣＱＩのフィードバック表現方式が第１フィードバック表現方式であると決定する。または、
構成されるアンテナの数が第１アンテナ数閾値より大きいかまたは等しく、構成されるアンテナの数のうち、水平に構成されるアンテナの数が垂直に構成されるアンテナの数より小さいと決定される場合には、ＰＭＩおよびＣＱＩのフィードバック表現方式が第２フィードバック表現方式であると決定する。または、
構成されるアンテナの数が第１アンテナ数閾値より大きいかまたは等しく、構成されるアンテナの数のうち、水平に構成されるアンテナの数が垂直に構成されるアンテナの数に等しいと決定される場合には、ＰＭＩおよびＣＱＩのフィードバック表現方式が第１フィードバック表現方式または第２フィードバック表現方式であると決定する。
【０１２０】
第１アンテナ数閾値は３２であり、第２アンテナ数閾値は１６である。
【０１２１】
例えば、送信モジュール１１は、ＰＭＩおよびＣＱＩのフィードバック表現方式を、より上位のレイヤシグナリングを使用することによってユーザ機器へと送信するように具体的に構成される。
【０１２２】
大規模なＭＩＭＯシステムの特徴（すなわち、構成されるアンテナの数が徐々に増大するに連れて、各レイヤまたは各コードワードのＣＱＩ関連性がより高くなる）に基づいて、本発明のこの実施形態において決定されたＰＭＩおよびＣＱＩのフィードバック表現方式は、ＰＭＩおよびＣＱＩのフィードバック表現方式におけるＣＱＩフィードバックに対するビットを低減し、ＰＭＩフィードバックに対するビットを増大させる。従って、コードブックの正確さおよびＣＳＩフィードバックの性能を低減することなく、構成されるアンテナの数が増大する状況に対して適用され得る。
【０１２３】
さらに、この実施形態においては、１つのＰＵＣＣＨにおいてフィードバックされるＰＭＩおよびＣＱＩのビット数が従来技術の１１ビットを超えない場合、フィードバックチャネルのオーバヘッドが増加されない。
【０１２４】
図１１は、本発明の別の実施形態に従ったネットワークデバイスの概略構造図である。ネットワークデバイスは、図１から図６に対応する方法の複数の実施形態における方法を実行することが可能であり、ネットワークデバイスは、基地局、リレー（Relay）、マクロノード（Macro Node）、ピコノード（Pico Node）、等を具体的に含んでよい。図１１に示されるように、このネットワークデバイスは以下を含む。
アンテナ構成情報をユーザ機器へと送信するよう構成される送信機２１。ここで、アンテナ構成情報は、フィードバックされる必要のあるプリコーディングマトリックス指標ＰＭＩおよびチャネル品質情報ＣＱＩ、並びに、ＰＭＩおよびＣＱＩのフィードバック表現方式を、アンテナ構成情報に含まれる構成されるアンテナの数に従って決定し、決定されたフィードバック表現方式でＰＭＩおよびＣＱＩをネットワークデバイスへと送信すべく、ユーザ機器により使用される。または、
ネットワークデバイスが、
通信バスを用いて送信機２１に接続されたプロセッサ２２であって、ＰＭＩおよびＣＱＩのフィードバック表現方式を、アンテナ構成情報に含まれる構成されるアンテナの数に従って決定するように構成されるプロセッサ２２をさらに含み、送信機２１は、プロセッサによって決定された、ＰＭＩおよびＣＱＩのフィードバック表現方式をユーザ機器へと送信するようにさらに構成される。また、
ネットワークデバイスは、通信バスを用いて送信機２１に接続された受信機２３であって、決定されたフィードバック表現方式でユーザ機器によってフィードバックされたＰＭＩおよびＣＱＩを受信するように構成される受信機２３をさらに含む。ここで、
フィードバック表現方式は、ＰＭＩおよびＣＱＩをユーザ機器がフィードバックする場合にＰＭＩおよびＣＱＩを表すべく使用される方式を参照し、フィードバック表現方式は、少なくとも第１フィードバック表現方式または第２フィードバック表現方式を含む。ここで、
第１フィードバック表現方式は、Ｔ個のＣＱＩ値を使用してＭ個のコードワードのＣＱＩを表すこと、および、１つのＰＭＩ値を使用して１つのＰＭＩを示すことを含む。ここで、ＴはＭより小さく、且つ１より大きいかまたは１に等しく、Ｍは２より大きいかまたは２に等しく、Ｔ個のＣＱＩ値のうちの少なくとも１つのＣＱＩ値は、少なくとも２つのコードワードのチャネル品質情報を表すことが可能である。また、
第２フィードバック表現方式は、Ｍ個のＣＱＩ値を使用してＭ個のコードワードのＣＱＩを表すこと、および、１つのＰＭＩ値を使用して１つのＰＭＩを示すことを含む。ここで、Ｍ個のＣＱＩ値のうちの少なくとも１つのＣＱＩ値のビット数は３より小さく、少なくとも１つのＣＱＩ値のビット数は３より大きい。ここで、
ＰＭＩおよびＣＱＩに対応する任意のダウンリンク物理リソースブロックＰＲＢペアにおいて、Ｍ個のコードワードのうちの任意のコードワードが、異なる複数のダウンリンクサブキャリアにおいて同じ１つのレイヤにマッピングされる。
【０１２５】
例えば、プロセッサ２２は、以下のように具体的に構成される。
構成されるアンテナの数が第１アンテナ数閾値より大きいかまたは等しい場合には、ＰＭＩおよびＣＱＩのフィードバック表現方式が第１フィードバック表現方式または第２フィードバック表現方式であると決定する。
構成されるアンテナの数が、第１アンテナ数閾値より小さく、且つ、第２アンテナ数閾値より大きいかまたは等しい場合には、ＰＭＩおよびＣＱＩのフィードバック表現方式が第２フィードバック表現方式であると決定する。または、
構成されるアンテナの数が第２アンテナ数閾値より小さい場合には、ＰＭＩおよびＣＱＩのフィードバック表現方式が第３フィードバック表現方式であると決定する。ここで、第３フィードバック表現方式は、１つのＰＵＣＣＨの４ビットを使用して第１のコードワードのＣＱＩを表すこと、１つのＰＵＣＣＨの３ビットを使用して第２のコードワードのＣＱＩを表すこと、および、１つのＰＵＣＣＨの４ビットを使用してＰＭＩを表すことを含む。
【０１２６】
例えば、アンテナ構成情報はアンテナ構成パターンをさらに含み、アンテナ構成パターンは、水平アンテナ構成および垂直アンテナ構成を含む。また、
プロセッサ２２は、以下のように具体的に構成される。
構成されるアンテナの数が第１アンテナ数閾値より大きいかまたは等しく、構成されるアンテナの数のうち、水平に構成されるアンテナの数が垂直に構成されるアンテナの数より大きいと決定される場合には、ＰＭＩおよびＣＱＩのフィードバック表現方式が第１フィードバック表現方式であると決定する。または、
構成されるアンテナの数が第１アンテナ数閾値より大きいかまたは等しく、構成されるアンテナの数のうち、水平に構成されるアンテナの数が垂直に構成されるアンテナの数より小さいと決定される場合には、ＰＭＩおよびＣＱＩのフィードバック表現方式が第２フィードバック表現方式であると決定する。または、
構成されるアンテナの数が第１アンテナ数閾値より大きいかまたは等しく、構成されるアンテナの数のうち、水平に構成されるアンテナの数が垂直に構成されるアンテナの数に等しいと決定される場合には、ＰＭＩおよびＣＱＩのフィードバック表現方式が第１フィードバック表現方式または第２フィードバック表現方式であると決定する。
【０１２７】
第１アンテナ数閾値は３２であり、第２アンテナ数閾値は１６である。
【０１２８】
例えば、送信機２１は、ＰＭＩおよびＣＱＩのフィードバック表現方式を含むより上位のレイヤシグナリングを、アンテナを使用することによってユーザ機器へと送信するように具体的に構成される。
【０１２９】
大規模なＭＩＭＯシステムの特徴（すなわち、構成されるアンテナの数が徐々に増大するに連れて、各レイヤまたは各コードワードのＣＱＩ関連性がより高くなる）に基づいて、本発明のこの実施形態において決定されたＰＭＩおよびＣＱＩのフィードバック表現方式は、ＰＭＩおよびＣＱＩのフィードバック表現方式におけるＣＱＩフィードバックに対するビットを低減し、ＰＭＩフィードバックに対するビットを増大させる。従って、コードブックの正確さおよびＣＳＩフィードバックの性能を低減することなく、構成されるアンテナの数が増大する状況に対して適用され得る。
【０１３０】
さらに、この実施形態においては、１つのＰＵＣＣＨにおいてフィードバックされるＰＭＩおよびＣＱＩのビット数が従来技術の１１ビットを超えない場合、フィードバックチャネルのオーバヘッドが増加されない。
【０１３１】
簡便で簡潔な記載を目的として、上記のシステム、装置、およびユニットの詳細な実施プロセスについては、上記の方法の複数の実施形態における対応するプロセスを参照し、明細書中に再度詳細に記載はしないことが、当業者には明確に理解されるであろう。
【０１３２】
本出願にて提供されるいくつかの実施形態においては、開示されるシステム、装置、および方法が、他の複数の方式で実施されてよいことが理解されるべきである。例えば、記載される装置の実施形態は、単に例示に過ぎない。例えば、ユニットの分割は、単に論理機能を分割しただけであり、実際の実施においては、他の分割であってよい。例えば、複数のユニットまたは構成要素は、別のシステム中に組み合わされてよい。または統合されてよい。あるいは、いくつかの特徴が無視されてよい。または実行されなくてよい。さらに、表示された、または議論された相互の連結、または直接の連結、または通信接続は、いくつかのインターフェースを用いて実施されてよい。複数の装置または複数のユニットの間の、間接的な連結または通信接続は、電子的に、機械的に、またはその他複数の形で実施されてよい。
【０１３３】
複数の別個なパーツとして記載される複数のユニットは、物理的に離れていても、いなくてもよい。また、複数のユニットとして表示されている複数のパーツは、物理的に複数のユニットであってもなくてもよく、１つの位置に配置されてもよいし、あるいは複数のネットワークユニット上に分散されてもよい。複数のユニットのうちのいくつか、または全てが、複数の実施形態の複数の解決法の複数の目的を達成すべく、実際の必要性に従って選択されてよい。
【０１３４】
さらに、本発明の複数の実施形態における複数の機能ユニットは、１つの処理ユニットに統合されてよい。または、これら複数のユニットのそれぞれが、物理的に単独で存在してよい。または、２またはそれより多くのユニットが１つのユニットに統合される。統合されたユニットは、ハードウェアの形で実施されてよい。または、ソフトウェア機能ユニットに加えてハードウェアの形で実施されてよい。
【０１３５】
上記の統合されたユニットがソフトウェア機能ユニットの形で実施される場合、統合されたユニットは、コンピュータ可読な記憶媒体中に記憶されてよい。ソフトウェア機能ユニットは、記憶媒体中に記憶され、（パーソナルコンピュータ、サーバ、またはネットワークデバイスであり得る）コンピュータデバイスに対して、本発明の複数の実施形態に記載される複数の方法の複数のステップのいくつかを実行させるよう命令するための、いくつかの命令を含む。上記の記憶媒体は、ポータブルハードドライブ、読出し専用メモリ（英語Read-Only Memory、略称ＲＯＭ）、ランダムアクセスメモリ（英語Random Access Memory、略称ＲＡＭ）、磁気ディスク、または光学式ディスクのような、プログラムコードを記憶することのできる任意の媒体を含む。
【０１３６】
最後に、上述の複数の実施形態は、単に本発明の複数の技術的解決法を記載することを意図しているだけであって、本発明を限定することを意図しているわけではないことに留意されるべきである。上述の複数の実施形態を参照して本発明が詳細に記載されているが、本発明の複数の実施形態の複数の技術的解決法の保護範囲から逸脱することなく、当業者は、上述の複数の実施形態に記載される複数の技術的解決法に対して、依然として複数の変更を成し得ること、あるいは、それらのいくつかの技術的特徴に対して同等な置換を成し得ることを理解するであろう。
【図１】
0006278325.tif 000002
【図２】
0006278325.tif 000003
【図３】
0006278325.tif 000004
【図３−１】
0006278325.tif 000005
【図４】
0006278325.tif 000006
【図５】
0006278325.tif 000007
【図６】
0006278325.tif 000008
【図７】
0006278325.tif 000009
【図８】
0006278325.tif 000010
【図９】
0006278325.tif 000011
【図１０】
0006278325.tif 000012
【図１１】
0006278325.tif 000013